(57)【特許請求の範囲】
【請求項１】
少なくとも自装置を含む複数のデータ処理装置を操作するために操作装置が出力した操作データを受信し、該操作データに従って処理を実行するデータ処理装置であって、
自装置にて実行可能な１または複数の処理をそれぞれ示す実行可能処理情報を記憶している実行可能処理記憶部と、
上記受信した操作データから、上記複数のデータ処理装置が実行すべき処理を指定した処理指定情報を取得する処理指定情報取得手段と、
上記実行可能処理記憶部に記憶された上記実行可能処理情報にて示される処理のうち、上記処理指定情報取得手段によって取得した処理指定情報にて指定されている処理と一致する処理を実行する処理実行手段とを備えることを特徴とするデータ処理装置。
【請求項２】
上記実行可能処理記憶部は、上記実行可能処理情報にて示される処理を実行すべき自装置のモードを、当該実行可能処理情報と対応付けてさらに記憶しているとともに、
自装置の現在のモードを取得する現在モード取得手段をさらに備え、
上記処理実行手段は、上記現在モード取得手段が取得した自装置の現在のモードと対応付けて上記実行可能処理記憶部に記憶されている、上記実行可能処理情報にて示される処理のうち、上記処理指定情報取得手段によって取得した処理指定情報にて指定されている処理と一致する処理を実行することを特徴とする請求項１に記載のデータ処理装置。
【請求項３】
上記実行可能処理記憶部は、上記実行可能処理情報と対応付けられている上記モード毎に、当該モードに対応付けられている上記実行可能処理情報にて示される処理を実行すべき実行順序を、上記実行可能処理情報とさらに対応付けて記憶しているとともに、
上記処理実行手段は、上記現在モード取得手段が取得した自装置の現在のモードと対応付けて上記実行可能処理記憶部に記憶されている、上記実行可能処理情報にて示される処理のうち、上記処理指定情報取得手段によって取得した処理指定情報にて指定されている処理と一致する処理を、当該処理に対応付けられた上記実行順序に従って実行することを特徴とする請求項２に記載のデータ処理装置。
【請求項４】
上記操作データは、上記処理指定情報を所定領域に格納している画像データであるとともに、
上記処理指定情報取得手段は、上記画像データから上記処理指定情報を抽出する処理指定情報抽出手段を含むことを特徴とする請求項１から３のいずれか１項に記載のデータ処理装置。
【請求項５】
請求項１から４のいずれか１項に記載のデータ処理装置を複数含むとともに、これら複数のデータ処理装置を操作するために上記操作データを出力する操作装置を含むことを特徴とするデータ処理システム。
【請求項６】
上記操作装置が、複数の上記データ処理装置が実行すべき処理を指定した処理指定情報を含む上記操作データを、当該複数の上記データ処理装置が同時に受信可能な状態のときに送信した場合、
上記複数のデータ処理装置のそれぞれは、上記実行可能処理記憶部に記憶されている上記実行可能処理情報にて示される処理のうち、上記処理指定情報取得手段によって取得した処理指定情報にて指定されている処理と一致する処理を、上記処理実行手段によって実行することを特徴とする請求項５に記載のデータ処理システム。
【請求項７】
少なくとも自装置を含む複数のデータ処理装置を操作するために操作装置が出力した操作データを受信し、該操作データに従って処理を実行するとともに、自装置にて実行可能な１または複数の処理をそれぞれ示す実行可能処理情報を記憶している実行可能処理記憶部を備えるデータ処理装置の制御方法であって、
上記受信した操作データから、上記複数のデータ処理装置が実行すべき処理を指定した処理指定情報を取得する処理指定情報取得ステップと、
上記実行可能処理記憶部に記憶された上記実行可能処理情報にて示される処理のうち、上記処理指定情報取得ステップによって取得した処理指定情報にて指定されている処理と一致する処理を実行する処理実行ステップとを含むことを特徴とするデータ処理装置の制御方法。
【請求項８】
請求項１から４のいずれか１項に記載のデータ処理装置としてコンピュータを機能させるための制御プログラムであって、コンピュータを上記の各手段として機能させるための制御プログラム。
【請求項９】
請求項８に記載の制御プログラムを記録したコンピュータ読み取り可能な記録媒体。
【発明の詳細な説明】
【技術分野】
【０００１】
本発明は、操作装置が出力した操作データを受信し、該操作データに従って処理を実行するデータ処理装置、データ処理システム、データ処理装置の制御方法、制御プログラム、および該プログラムを記録したコンピュータ読み取り可能な記録媒体に関するものである。
【背景技術】
【０００２】
近年、デジタルカメラ、特にデジタルカメラ機能を有するカメラ付き携帯電話機の普及に伴い、写真を画像データとして取り扱うことが広く行われるようになった。これに伴い、デジタルカメラや携帯電話機から画像データを取り込み、該取り込んだ画像データを表示するテレビや、該取り込んだ画像データを印刷するプリンタなどの装置も広く用いられるようになった。
【０００３】
また、これらの装置間で、無線通信により画像データを転送する技術も普及している。無線通信により画像データを転送するためのプロトコルとしては、ＩｒＳｉｍｐｌｅ（登録商標）のような高速赤外線通信プロトコルや、Ｂｌｕｅｔｏｏｔｈ（登録商標）のような近距離用無線通信プロトコルなどが一般的である。このような無線通信を用いることにより、携帯電話機で撮影した写真をテレビなどに表示させることなどが、容易に行なえるようになっている。
【０００４】
また、赤外線通信によって画像データを受信する画像データ受信機能を有するテレビには、受光した赤外線信号が、携帯電話機などから送信された画像データであるか、または、赤外線リモコンから送信された制御信号であるかを判定し、制御信号である場合には、それに従って自装置を制御するものがある。
【０００５】
また、特許文献１には、画像の表示制御を行なうための画像表示制御情報を含む画像データを受信する表示処理装置が開示されている。特許文献１に記載の表示処理装置は、画像表示制御情報を含む画像データを受信し、該画像表示制御情報に従って、画像データに含まれる画像を、スクロールしたり拡大／縮小したりしながら表示する。すなわち、画像表示制御情報を含む画像データを上記表示処理装置に送信するだけで、上記表示処理装置に、スクロールや拡大／縮小などの画像処理を行なわせることができる。
【０００６】
さらに、近年の高速インターネットの普及に伴い、テレビが、通信ネットワークを介して、サービス事業者が提供する外部のサーバ装置から写真コンテンツを取得し、該取得した写真コンテンツを表示できるようになっている。サービス事業者が提供する写真コンテンツとしては、鑑賞目的の写真などの他に、例えば、料理レシピなどのユーザの生活を便利にするものや、旅行の案内など広告目的のものもある。
【特許文献１】特開２００４−３１０７４４号公報（公開日：平成１６年１１月４日）
【発明の開示】
【発明が解決しようとする課題】
【０００７】
上記画像データ受信機能を有するテレビで画像データを表示しようとする場合、ユーザは、画像データをテレビに送信するための画像データ送信装置（携帯電話機など）と、テレビを操作するための赤外線リモコンとの両方を操作しなければならないことから、操作が煩雑であり、ユーザの利便性が損なわれるという問題があった。
【０００８】
また、特許文献１に記載の表示処理装置は、受信した画像データに含まれる画像表示制御情報に従って画像処理を行なう。よって、特許文献１に記載の技術をテレビに適用したとしても、テレビが実行可能な画像処理は、テレビに送信した、画像表示制御情報を含む画像データの画像に対する画像処理に限られる。したがって、例えば、通信ネットワークを介して外部から取得した写真コンテンツに対して、ユーザが自在に画像処理を行なうことはできないという問題があった。
【０００９】
また、テレビで、通信ネットワークを介して写真コンテンツを取得するサービスを享受するにあたり、ユーザは、テレビに付属の赤外線リモコンを用いて、該写真コンテンツのＩＤとして１０桁以上の英数字を入力する必要があり、入力の手間がかかっていたという問題があった。
【００１０】
また、近年、情報家電等、各種情報を処理可能な装置が増えている。しかしながら、各種コンテンツを提供するサービス事業者が、上記装置（特に、インターネットなどの外部との通信ネットワークに接続していない装置）に対してコンテンツを供給する方法としては、ＰＣやメモリ媒体を介して提供するといった方法が一般的であるため、ユーザにとって非常に手間がかかり、ユーザの利便性が損なわれるという問題があった。
【００１１】
また、サービス事業者は、コンテンツを処理するクライアント側の装置に応じて、コンテンツをそれぞれ作成しなければならないという問題があった（例えば、テレビ用のコンテンツや、電子レンジ用のコンテンツなど）。
【００１２】
本発明は、上記の問題点に鑑みてなされたものであり、その目的は、自装置を含む複数のデータ処理装置が実行すべき処理を指定した処理指定情報を含むデータを受信し、自装置にて実行可能な処理のみを実行するデータ処理装置、データ処理システム、データ処理装置の制御方法、制御プログラム、および該プログラムを記録したコンピュータ読み取り可能な記録媒体を提供することにある。
【課題を解決するための手段】
【００１３】
上記課題を解決するために、本発明に係るデータ処理装置は、少なくとも自装置を含む複数のデータ処理装置を操作するために操作装置が出力した操作データを受信し、該操作データに従って処理を実行するデータ処理装置であって、自装置にて実行可能な１または複数の処理をそれぞれ示す実行可能処理情報を記憶している実行可能処理記憶部と、上記受信した操作データから、上記複数のデータ処理装置が実行すべき処理を指定した処理指定情報を取得する処理指定情報取得手段と、上記実行可能処理記憶部に記憶された上記実行可能処理情報にて示される処理のうち、上記処理指定情報取得手段によって取得した処理指定情報にて指定されている処理と一致する処理を実行する処理実行手段とを備えることを特徴としている。
【００１４】
また、本発明に係るデータ処理装置の制御方法は、少なくとも自装置を含む複数のデータ処理装置を操作するために操作装置が出力した操作データを受信し、該操作データに従って処理を実行するとともに、自装置にて実行可能な１または複数の処理をそれぞれ示す実行可能処理情報を記憶している実行可能処理記憶部を備えるデータ処理装置の制御方法であって、上記受信した操作データから、上記複数のデータ処理装置が実行すべき処理を指定した処理指定情報を取得する処理指定情報取得ステップと、上記実行可能処理記憶部に記憶された上記実行可能処理情報にて示される処理のうち、上記処理指定情報取得ステップによって取得した処理指定情報にて指定されている処理と一致する処理を実行する処理実行ステップとを含むことを特徴としている。
【００１５】
上記の構成によれば、本発明に係るデータ処理装置は、自装置にて実行可能な１または複数の処理をそれぞれ示す実行可能処理情報を実行可能処理記憶部に記憶することができる。そして、操作装置が出力した操作データを受信し、該受信した操作データから、上記複数のデータ処理装置が実行すべき処理を指定した処理指定情報を取得することができる。そして、上記実行可能処理記憶部に記憶された上記実行可能処理情報にて示される処理のうち、上記処理指定情報取得手段によって取得した処理指定情報にて指定されている処理と一致する処理を実行することができる。
【００１６】
よって、本発明に係るデータ処理装置は、複数のデータ処理装置が実行すべき処理を指定した処理指定情報を含む操作データを受信し、自装置で実行可能な処理のみを実行することができる。
【００１７】
そのため、操作装置を用いるユーザは、複数のデータ処理装置に対して、１つの操作データを送信するだけで、複数のデータ処理装置に、それぞれが実行可能な処理を実行させることができる。
【００１８】
言い換えれば、上記ユーザは、データ処理装置のそれぞれに操作データを送信するという操作を行なう必要がない。つまり、あるデータ処理装置に対して、当該データ処理装置が実行すべき処理内容を指定した処理指定情報を含む操作データを送信する操作と、他のデータ処理装置に対して、当該データ処理装置が実行すべき処理内容を指定した処理指定情報を含む操作データを送信する操作とを、それぞれ個別に行なう必要が無い。
【００１９】
したがって、本発明によれば、操作装置にてデータ処理装置を操作するユーザの操作性および利便性が向上するという効果を奏する。
【００２０】
さらに、操作データを提供するサービス事業者が、複数の処理指定情報を１つにまとめた操作データをユーザに提供すればよい。つまり、上記サービス事業者は、あるデータ処理装置が実行すべき処理内容を指定した処理指定情報と、別のデータ処理装置が実行すべき処理内容を指定した処理指定情報とを、１つの操作データにまとめて作成し、提供することができる。
【００２１】
言い換えれば、上記サービス事業者は、あるデータ処理装置が実行すべき処理内容を指定した処理指定情報を含む操作データと、他のデータ処理装置が実行すべき処理内容を指定した処理指定情報を含む操作データとを、それぞれ個別に作成する必要が無い。
【００２２】
したがって、本発明によれば、上記サービス事業者は、操作データの作成や管理の手間を省くことができるという効果を奏する。
【００２３】
さらに、本発明に係るデータ処理装置は、上記の構成において、上記実行可能処理記憶部は、上記実行可能処理情報にて示される処理を実行すべき自装置のモードを、当該実行可能処理情報と対応付けてさらに記憶しているとともに、自装置の現在のモードを取得する現在モード取得手段をさらに備え、上記処理実行手段は、上記現在モード取得手段が取得した自装置の現在のモードと対応付けて上記実行可能処理記憶部に記憶されている、上記実行可能処理情報にて示される処理のうち、上記処理指定情報取得手段によって取得した処理指定情報にて指定されている処理と一致する処理を実行する構成としてもよい。
【００２４】
上記の構成によれば、上記実行可能処理記憶部には、上記実行可能処理情報にて示される処理を実行すべき自装置のモードを、当該実行可能処理情報と対応付けてさらに記憶することができる。そして、自装置の現在のモードを取得することができる。そして、自装置の現在のモードと対応付けて上記実行可能処理記憶部に記憶されている、上記実行可能処理情報にて示される処理のうち、上記取得した処理指定情報にて指定されている処理と一致する処理を実行することができる。
【００２５】
よって、本発明に係るデータ処理装置は、自装置で実行可能な処理のうち、自装置のモードに応じた処理のみを実行することができる。
【００２６】
そのため、自装置で実行可能な処理のうち、モード毎に、ユーザが期待する（予測可能な）処理のみを予め設定しておくことにより、当該処理のみを実行するようにすることができる。
【００２７】
言い換えれば、本発明に係るデータ処理装置は、モード毎に、そのモードで実行することが適切でない（もしくは、実行されることをユーザが予定していない）処理を、実行しないようにすることができる。例えば、テレビ放送の映像を表示している放送モードにおいて、ＨＴＴＰサーバから取得したＷｅｂページを表示することが適切でない（ユーザが予定していない）場合、放送モードにおいてＨＴＴＰサーバからＷｅｂページを取得する処理を、自装置で実行可能な処理と設定しなければ、実行しないようにすることができる。
【００２８】
したがって、本発明によれば、操作装置にてデータ処理装置を操作するユーザの利便性が向上するという効果を奏する。
【００２９】
さらに、本発明に係るデータ処理装置は、上記の構成において、上記実行可能処理記憶部は、上記実行可能処理情報と対応付けられている上記モード毎に、当該モードに対応付けられている上記実行可能処理情報にて示される処理を実行すべき実行順序を、上記実行可能処理情報とさらに対応付けて記憶しているとともに、上記処理実行手段は、上記現在モード取得手段が取得した自装置の現在のモードと対応付けて上記実行可能処理記憶部に記憶されている、上記実行可能処理情報にて示される処理のうち、上記処理指定情報取得手段によって取得した処理指定情報にて指定されている処理と一致する処理を、当該処理に対応付けられた上記実行順序に従って実行する構成としてもよい。
【００３０】
上記の構成によれば、上記実行可能処理記憶部は、上記実行可能処理情報と対応付けられている上記モード毎に、当該モードに対応付けられている上記実行可能処理情報にて示される処理を実行すべき実行順序を、上記実行可能処理情報とさらに対応付けて記憶することができる。そして、自装置の現在のモードと対応付けて上記実行可能処理記憶部に記憶されている、上記実行可能処理情報にて示される処理のうち、上記取得した処理指定情報にて指定されている処理と一致する処理を、当該処理に対応付けられた上記実行順序に従って実行することができる。
【００３１】
よって、本発明に係るデータ処理装置は、自装置で実行可能な処理のうち、自装置のモードに応じた処理を実行することができるとともに、モードに応じて実行すべき処理が複数存在する場合は、そのモードにおいて、より適切な処理から順に実行することができる。
【００３２】
例えば、あるモードにおいて、１番目に実行可能な処理として、フォトアルバムサーバからアルバムに属する写真データ群を取得する処理が設定されており、２番目に実行可能な処理として、ＨＴＴＰサーバから取得したＷｅｂページを自装置の表示部に表示する処理が設定されている場合、まず、フォトアルバムサーバからアルバムに属する写真データ群を取得し、その次に、ＨＴＴＰサーバから取得したＷｅｂページを自装置の表示部に表示することができる。もしくは、フォトアルバムサーバからアルバムに属する写真データ群を取得する処理のみを実行してもよい。
【００３３】
したがって、本発明によれば、操作装置にてデータ処理装置を操作するユーザの利便性が向上するという効果を奏する。
【００３４】
さらに、本発明に係るデータ処理装置は、上記の構成において、上記操作データは、上記処理指定情報を所定領域に格納している画像データであるとともに、上記処理指定情報取得手段は、上記画像データから上記処理指定情報を抽出する処理指定情報抽出手段を含む構成としてもよい。
【００３５】
上記の構成によれば、上記操作データは、上記処理指定情報を所定領域に格納している画像データである。そして、上記画像データから上記処理指定情報を抽出することができる。
【００３６】
よって、上記処理指定情報を画像データに含めておくことにより、当該画像データを受信したデータ処理装置は、画像データから上記処理指定情報を抽出し、自装置で実行可能な処理のみを実行することができる。
【００３７】
そのため、画像データを提供するサービス事業者は、複数の処理指定情報を１つにまとめた画像データを、各データ処理装置に提供すればよい。また、ユーザは、操作装置を用いて、複数のデータ処理装置に対して、複数の処理指定情報を含む１つの画像データを送信するだけで、複数のデータ処理装置に、それぞれが実行可能な処理を実行させることができる。
【００３８】
したがって、本発明によれば、上記サービス事業者は、操作データの作成や管理の手間を省くことができるという効果を奏する。また、操作装置にてデータ処理装置を操作するユーザの操作性および利便性が向上するという効果を奏する。
【００３９】
本発明に係るデータ処理システムは、上記データ処理装置を複数含むとともに、これら複数のデータ処理装置を操作するために上記操作データを出力する操作装置を含むことを特徴としている。
【００４０】
上記の構成によれば、上記データ処理装置を複数含み、これら複数のデータ処理装置を上記操作装置が操作することができる。
【００４１】
よって、上記操作装置は、複数のデータ処理装置が実行すべき処理を指定した処理指定情報を含む操作データを、複数のデータ処理装置に対して出力し、複数のデータ処理装置のそれぞれは、上記操作データを受信し、自装置で実行可能な処理のみを実行することができる。
【００４２】
そのため、ユーザは、操作装置を用いて、複数のデータ処理装置に対して、１または複数の処理指定情報を含む１つの操作データを送信するだけで、複数のデータ処理装置に、それぞれが実行可能な処理を実行させることができる。
【００４３】
したがって、本発明によれば、操作装置にてデータ処理装置を操作するユーザの操作性および利便性が向上するという効果を奏する。
【００４４】
さらに、本発明に係るデータ処理システムは、上記の構成において、上記操作装置が、複数の上記データ処理装置が実行すべき処理を指定した処理指定情報を含む上記操作データを、当該複数の上記データ処理装置が同時に受信可能な状態のときに送信した場合、上記複数のデータ処理装置のそれぞれは、上記実行可能処理記憶部に記憶されている上記実行可能処理情報にて示される処理のうち、上記処理指定情報取得手段によって取得した処理指定情報にて指定されている処理と一致する処理を、上記処理実行手段によって実行する構成としてもよい。
【００４５】
上記の構成によれば、上記操作装置が、複数の上記データ処理装置が実行すべき処理を指定した処理指定情報を含む上記操作データを、当該複数の上記データ処理装置が同時に受信可能な状態のときに送信すると、上記複数のデータ処理装置のそれぞれは、上記実行可能処理記憶部に記憶されている上記実行可能処理情報にて示される処理のうち、上記処理指定情報取得手段によって取得した処理指定情報にて指定されている処理と一致する処理を、上記処理実行手段によって実行することができる。
【００４６】
よって、上記操作装置は、複数のデータ処理装置が実行すべき処理を指定した処理指定情報を含む１つの操作データを、複数のデータ処理装置に対して出力し、複数のデータ処理装置のそれぞれは、上記操作データを同時に受信し、自装置で実行可能な処理のみを実行することができる。
【００４７】
そのため、ユーザは、操作装置を用いて、複数のデータ処理装置に対して、１または複数の処理指定情報を含む１つの操作データを１度送信するだけで、複数のデータ処理装置に、それぞれが実行可能な処理を、同時に実行させることができる。
【００４８】
例えば、データ処理装置としての電子レンジおよびテレビに対して、電子レンジが実行すべき処理（例えば、調理）、および、テレビが実行すべき処理（例えば、料理の出来上がり写真を含むＷｅｂページの取得）をそれぞれ指定した処理指定情報を含む、１つの操作データを１度送信することにより、例えば、電子レンジにて調理を実行させつつ、同時に、テレビにて料理の出来上がり写真を含むＷｅｂページを表示させることなどが可能となる。
【００４９】
したがって、本発明によれば、操作装置にてデータ処理装置を操作するユーザの操作性および利便性が向上するという効果を奏する。
【００５０】
なお、上記データ処理装置は、コンピュータによって実現してもよく、この場合には、コンピュータを上記各手段として動作させることにより上記データ処理装置をコンピュータにて実現させる上記データ処理装置の制御プログラム、およびそれを記録したコンピュータ読み取り可能な記録媒体も、本発明の範疇に入る。
【発明の効果】
【００５１】
以上のように、本発明に係るデータ処理装置は、自装置にて実行可能な１または複数の処理をそれぞれ示す実行可能処理情報を記憶している実行可能処理記憶部と、上記受信した操作データから、上記複数のデータ処理装置が実行すべき処理を指定した処理指定情報を取得する処理指定情報取得手段と、上記実行可能処理記憶部に記憶された上記実行可能処理情報にて示される処理のうち、上記処理指定情報取得手段によって取得した処理指定情報にて指定されている処理と一致する処理を実行する処理実行手段とを備える。
【００５２】
また、本発明に係るデータ処理装置の制御方法は、上記受信した操作データから、上記複数のデータ処理装置が実行すべき処理を指定した処理指定情報を取得する処理指定情報取得ステップと、上記実行可能処理記憶部に記憶された上記実行可能処理情報にて示される処理のうち、上記処理指定情報取得ステップによって取得した処理指定情報にて指定されている処理と一致する処理を実行する処理実行ステップとを含む。
【００５３】
よって、本発明に係るデータ処理装置は、複数のデータ処理装置が実行すべき処理を指定した処理指定情報を含む操作データを受信し、自装置で実行可能な処理のみを実行することができる。
【００５４】
そのため、操作装置を用いるユーザは、複数のデータ処理装置に対して、１つの操作データを送信するだけで、複数のデータ処理装置に、それぞれが実行可能な処理を実行させることができる。
【００５５】
したがって、本発明によれば、操作装置にてデータ処理装置を操作するユーザの操作性および利便性が向上するという効果を奏する。
【００５６】
さらに、操作データを提供するサービス事業者が、複数の処理指定情報を１つにまとめた操作データをユーザに提供すればよい。つまり、上記サービス事業者は、あるデータ処理装置が実行すべき処理内容を指定した処理指定情報と、別のデータ処理装置が実行すべき処理内容を指定した処理指定情報とを、１つの操作データにまとめて作成し、提供することができる。
【００５７】
したがって、本発明によれば、上記サービス事業者は、操作データの作成や管理の手間を省くことができるという効果を奏する。
【発明を実施するための最良の形態】
【００５８】
各実施の形態では、本発明に係るデータ処理装置が操作装置から受信する操作データとして、画像データを例にあげて説明する。画像データは、ＪＰＥＧ（Joint Photographic Experts Group）形式などの一般的なフォーマットを有するものであり、１または複数のデータ処理装置が実行すべき処理を指定した処理指定情報５を内包可能なデータ構造を有している。各実施の形態では、処理指定情報５を内包している画像データを操作用画像データ３と称する。一方、処理指定情報５を内包していない画像データを表示用画像データ４と称する。操作用画像データ３のデータ構造および処理指定情報５の詳細については後述する。
【００５９】
また、各実施の形態では、本発明に係るデータ処理装置として、操作データとしての画像データを受信し、該画像データに従って処理を実行する画像データ受信処理装置を例に挙げて説明する。
【００６０】
〔実施の形態１〕
本発明の一実施形態について図１から図１２に基づいて説明すると以下の通りである。
【００６１】
（データ処理システム９００の構成）
図２を参照しながら、本実施の形態に係るデータ処理システム９００の基本構成について説明する。図２は、操作装置２０と画像データ受信処理装置１０とを少なくとも含むデータ処理システム９００の基本構成、および、各装置間で送信される情報の流れを示す模式図である。
【００６２】
なお、図２では、操作装置２０と通信可能に接続される画像データ提供装置３０、ならびに、画像データ受信処理装置１０としてのテレビジョン受像機（以下、テレビ）１１と通信可能に接続されるＨＴＴＰ（HyperText Transfer Protocol）サーバ９０およびフォトアルバムサーバ９１（後述）を併せて図示している。
【００６３】
（画像データ提供装置３０）
画像データ提供装置３０は、画像データを提供するサーバ装置であり、画像データの配信サービスを行なうサービス事業者などが所有する装置である。そして、画像データ提供装置３０は、通信ネットワーク４００を介して、操作装置２０に画像データを送信する（図２に示すフロー（１））。
【００６４】
（操作装置２０）
操作装置２０は、画像データの配信サービスを受けるユーザが所有する装置であって、画像データ受信処理装置１０を操作する装置である。そのために、操作装置２０は、画像データ提供装置３０が提供する画像データを取得する。そして、操作装置２０は、ユーザ操作などをトリガとして、無線通信５００などにて、上記受信した画像データを、１または複数の画像データ受信処理装置１０に送信する（図２に示すフロー（２））。
【００６５】
操作装置２０としては、例えば、携帯電話機、ＰＤＡ（Personal Digital Assistant）、ＰＨＳ（Personal Handy Phone System）、ノート型ＰＣ（Personal Computer）などが挙げられる。本実施の形態では、操作装置２０として、特に、携帯電話機２１を挙げて説明する。したがって、携帯電話機２１は、他の携帯電話機との間で音声通話を行なうなどといった携帯電話としての基本機能の他に、少なくとも、画像データを送信する画像データ送信機能を有している。なお、携帯電話機２１は、通常、画像データ受信処理装置１０の近傍にいるユーザが所有するものであることが想定される。
【００６６】
（画像データ受信処理装置１０）
画像データ受信処理装置１０は、画像データの配信サービスを受けるユーザが所有する装置であって、操作装置２０から送信される画像データに従って各種処理を実行する装置である。そのために、画像データ受信処理装置１０は、操作装置２０から送信される画像データを受信する。そして、該受信した画像データが処理指定情報５を含む場合（つまり、該受信した画像データが操作用画像データ３である場合）、画像データ受信処理装置１０は、該受信した画像データに含まれる処理指定情報５を抽出し、該抽出した処理指定情報５に応じた処理を実行する。
【００６７】
なお、後述するように、操作用画像データ３は、１または複数の処理指定情報５を含むことが可能である。そして、画像データ受信処理装置１０が、操作用画像データ３から抽出した処理指定情報５のコマンド名６（後述）で識別されるコマンドが、自装置で実行可能か否かを判定し、自装置で実行可能なコマンドのみを実行することが、本発明の特徴の一つである。
【００６８】
画像データ受信処理装置１０としては、例えば、テレビ１１、電子レンジ１２、映像信号を記録可能なレコーダ１３、ＰＣ１４、カーナビゲーションシステム１５などが挙げられる。本実施の形態では、画像データ受信処理装置１０として、特に、テレビ１１および電子レンジ１２を例に挙げて説明する。したがって、テレビ１１は、テレビ放送を受信して表示するといったテレビジョン受像機としての基本機能の他に、少なくとも画像データを受信する画像データ受信機能を有している。また、電子レンジ１２は、電磁波を発生して食品等を調理するといった電子レンジとしての基本機能のほかに、少なくとも画像データを受信する画像データ受信機能を有している。なお、テレビ１１および電子レンジ１２は、通常、ユーザの宅内に設置されることが想定される。
【００６９】
また、画像データ受信処理装置１０は、通信ネットワークを介して外部のサーバ装置と通信可能に接続されていてもよい。図２の例では、テレビ１１が、インターネットなどの通信ネットワーク８００を介して、所定のＷｅｂページの提供などを行なうＨＴＴＰサーバ９０、および、写真データを複数のアルバムに分類して管理し、該アルバムを提供するフォトアルバムサーバ９１と接続されている。
【００７０】
（装置間の通信）
画像データ提供装置３０と操作装置２０とは、画像データをやりとりするために、通信ネットワーク４００を介して通信可能に接続される。本実施の形態では、操作装置２０は携帯電話機２１としていることから、ここでは、通信ネットワーク４００として携帯電話網４０１を想定する。したがって、画像データ提供装置３０から携帯電話網４０１を介して送信する電子メールに画像データを添付したり、ＨＴＴＰサーバの機能を備える画像データ提供装置３０から画像データをダウンロードするなどによって、携帯電話機２１への画像データの送信を行なうものとする。
【００７１】
また、操作装置２０と画像データ受信処理装置１０とは、画像データをやりとりするために、例えば無線通信５００にて通信可能に接続される。画像データのやりとりには、例えば、ＩｒＳｉｍｐｌｅ（登録商標）（以下、ＩｒＳｉｍｐｌｅと表記）のような高速赤外線通信プロトコルや、Ｂｌｕｅｔｏｏｔｈ（登録商標）（以下、Ｂｌｕｅｔｏｏｔｈと表記）のような近距離用無線通信プロトコルが適している。特に、受信処理装置からの応答を必要としないＩｒＳＳ（登録商標）（以下、ＩｒＳＳと表記）を用いた場合、複数の機器に向けて同時に画像データを転送できる。これにより、操作装置２０から画像データ受信処理装置１０に向けて、画像データを瞬時に転送することができる。
【００７２】
なお、画像データ受信処理装置１０と操作装置２０とを接続する接続手段による使い勝手の低下を考慮する必要がなければ、無線通信５００に代えて、導線や光ファイバなどの接続手段により画像データ受信処理装置１０と操作装置２０とを接続し、当該接続手段を介した有線通信により画像データを転送してもよい。
【００７３】
なお、以下では、特に、画像データ受信処理装置１０としてのテレビ１１および電子レンジ１２が、操作装置２０としての携帯電話機２１から、赤外線通信プロトコル（例えば、ＩｒＳｉｍｐｌｅやＩｒＳＳ）を用いた無線通信５００にて画像データを受信可能な状況を想定して説明する。図３を参照しながら、携帯電話機２１と、テレビ１１および電子レンジ１２とが通信可能に配置されている様子を説明する。図３は、携帯電話機２１と、テレビ１１および電子レンジ１２とが通信可能に配置されている様子を示す模式図である。図３に示すように、テレビ１１および電子レンジ１２は、例えば、ユーザ宅内の台所などに並べて配置されているものとする。この場合、携帯電話機２１と、テレビ１１および電子レンジ１２とが、ＩｒＳＳプロトコルにて通信可能な位置にあれば、テレビ１１および電子レンジ１２のいずれもが、携帯電話機２１から送信される画像データを同じタイミングで受信することが可能である。そして、テレビ１１および電子レンジ１２は、それぞれ、該受信した画像データに処理指定情報５が含まれる場合、処理指定情報５を抽出し、自装置で実行可能なコマンドのみを実行する。
【００７４】
（操作用画像データ３）
上述したように、データ処理システム９００にてやりとりされる画像データには、操作用画像データ３と表示用画像データ４とがある。ここで、図４を参照しながら、操作用画像データ３のデータ構造について説明する。図４は、操作用画像データ３のデータ構造の概略を示した模式図である。図４に示すように、操作用画像データ３は、概略的に言えば、画像領域６１０およびＥＸＩＦ領域６２０を含んで構成された、ＪＰＥＧ形式の画像データである。
【００７５】
画像領域６１０は、写真などの画像を圧縮して格納する領域である。一方、ＥＸＩＦ領域６２０は、主に、画像領域６１０に格納された画像情報に関するメタ情報などを格納する領域である。
【００７６】
ＥＸＩＦ領域６２０には、操作用画像データ３の配信サービスを行なう事業者が仕様を自由に定めて利用することができるメーカノート領域６２１が含まれている。そして、メーカノート領域６２１には、１または複数の処理指定情報５を格納することができる。メーカノート領域６２１内のどの領域に処理指定情報５を格納するかは、特に限定されるものではない。なお、図４に示す例では、２つの処理指定情報５（処理指定情報５Ａおよび処理指定情報５Ｂ）を格納している。
【００７７】
なお、画像領域６１０には、メーカノート領域６２１に格納されている処理指定情報５により指定される処理の内容を表す画像を格納しておいてもよい。これにより、操作装置２０の表示部において操作用画像データ３を表示した場合、当該操作用画像データ３を受信した画像データ受信処理装置１０が実行可能な処理の内容について、ユーザが視認することができ、その結果、ユーザは当該操作用画像データ３を画像データ受信処理装置１０に送信するべきか否かを判断することが可能となる。
【００７８】
なお、表示用画像データ４のデータ構造は、図４に示したデータ構造において、メーカノート領域６２１に処理指定情報５を含まないものであるので、ここではその説明を省略する。
【００７９】
（処理指定情報５）
処理指定情報５は、画像データ受信処理装置１０が実行すべき処理を指定するコマンドの名称であるコマンド名６と、コマンドのパラメータであるパラメータ７との組から成るものである。コマンドによっては、パラメータ７は無くてもよい。また、コマンド名６に代えてコマンドを識別可能なコードを用いてもよい。
【００８０】
図４に示す例では、処理指定情報５Ａは、コマンド名６が“ＷＷＷ Ｇｅｔ”であり、パラメータ７が“ＵＲＬ：http://www.sample-page.jp”である。この処理指定情報５Ａは、後述するように、上記パラメータ７で指定されたＵＲＬ（Uniform Resource Locator）で示されるＨＴＴＰサーバ９０のＷｅｂページを取得するというコマンドである。また、処理指定情報５Ｂは、コマンド名６が“フォトアルバム”であり、パラメータ７が“アルバムＩＤ：1234567890123456”である。この処理指定情報５Ｂは、後述するように、写真データを複数のアルバムに分類して管理するフォトアルバムサーバ９１にアクセスして上記パラメータ７で指定されたＩＤ（1234567890123456）で特定されるアルバムに属する写真データ群を取得し、該取得した写真データ群の写真を一覧表示、あるいは、スライドショー表示するというコマンドである。
【００８１】
コマンド名６の一例を下記の表１に示す。表１は、コマンド名６、および、画像データ受信処理装置１０がそのコマンド名６により実行する処理の内容を示す表である。
【００８２】
【表１】
0004386954.tif 000002
【００８３】
“ＷＷＷ Ｇｅｔ”は、Ｗｅｂ機能が搭載されている装置（例えば、テレビ１１やＰＣ１０４など）で実行可能なコマンドである。このコマンドを受信した装置は、パラメータ７で指定されたＵＲＬで示されるＨＴＴＰサーバ９０のＷｅｂページを取得し、表示部に表示する。
【００８４】
“ＷＷＷ Ｐｏｓｔ”は、Ｗｅｂ機能が搭載されている装置（例えば、テレビ１１やＰＣ１０４など）で実行可能なコマンドである。このコマンドを受信した装置は、パラメータ７で指定されたＵＲＬで示されるＨＴＴＰサーバ９０へ操作用画像データ３を送信する。なお、その応答として、ＨＴＴＰサーバ９０から所定のデータが返信される場合は、該所定のデータを受信し、表示部に表示する。
【００８５】
“フォトアルバム”は、テレビ１１で実行可能なコマンドである。このコマンドを受信したテレビ１１は、写真データを複数のアルバムに分類して管理するフォトアルバムサーバ９１にアクセスして、パラメータ７で指定されたＩＤで特定されるアルバムに属する写真データ群を取得し、該取得した写真データ群の写真を表示部に一覧表示、あるいは、スライドショー表示する。
【００８６】
“テレビコマンド”は、テレビ１１で実行可能なコマンドである。このコマンドを受信したテレビ１１は、パラメータ７で指定された情報に基づいて、テレビ１１を制御する。例えば、パラメータ７で指定された情報が、テレビ１１の外部入力を切り替える旨であれば、このコマンドを受信したテレビ１１は、パラメータ７で指定された情報に基づいて、外部入力を切り替える。
【００８７】
“レコーダコマンド”は、レコーダ１３で実行可能なコマンドである。このコマンドを受信したレコーダ１３は、パラメータ７で指定された情報に基づいて、レコーダ１３を制御する。例えば、パラメータ７で指定された情報が、所定の時間帯にテレビ番組の録画予約を行なう旨であれば、このコマンドを受信したテレビ１１は、パラメータ７で指定された情報に基づいて、テレビ番組の録画予約を行なう。
【００８８】
“料理レシピ”は、電子レンジ１２などの調理装置で実行可能なコマンドである。このコマンドを受信した装置は、パラメータ７で指定されたレシピデータを調理装置内に保存し、ユーザ指示により、そのレシピデータに従った調理を実行する。
【００８９】
“位置指定”は、カーナビゲーションシステム１５などの、位置情報を使用する装置で実行可能なコマンドである。このコマンドを受信したカーナビゲーションシステム１５は、例えば、パラメータ７で指定された位置情報を目的地として設定した上でナビゲーションを開始する。
【００９０】
“健康データ”は、例えば、ＰＣや携帯電話機などの装置で実行可能なコマンドである。このコマンドを受信した装置は、該装置に接続されている体重計、体温計、血圧計など（図示せず）からデータを受信して自装置に保存したり、該受信したデータをユーザにわかりやすく表示したり、該受信したデータに応じた健康の目安情報を表示したりする。
【００９１】
（操作用画像データの他の例）
次に、図５および図６を参照しながら、操作用画像データ３の他の例について説明する。図５および図６は、操作用画像データ３のデータ構造の他の例を示した模式図である。
【００９２】
図５に示す操作用画像データ３は、テレビ１１が実行可能であって、電子レンジ１２が実行不可である“ＷＷＷ Ｇｅｔ”コマンド、および、電子レンジ１２が実行可能であって、テレビ１１が実行不可である“料理レシピ”コマンドを含む画像データの例である。この画像データには、２つの処理指定情報５（処理指定情報５Ａおよび処理指定情報５Ｃ）が格納されている。処理指定情報５Ａは、既に述べたように、パラメータ７で指定されたＨＴＴＰサーバ９０（http://www.sample-page.jp）のＷｅｂページを取得するというコマンドである。また、処理指定情報５Ｃは、コマンド名６が“料理レシピ”であり、パラメータ７が“調理手順：オーブンを１８０℃に加熱”である。この処理指定情報５Ｃは、上記パラメータ７で指定された調理手順に従って、調理を実施するというコマンドである。
【００９３】
したがって、画像データの配信サービスを行なうサービス事業者などが、料理の出来上がり写真などを、ＨＴＴＰサーバ９０（http://www.sample-page.jp）のＷｅｂページとして用意した上で、図３に示したような、テレビ１１および電子レンジ１２を所有するユーザ向けに、図５に示す操作用画像データ３を提供した場合、ユーザの利便性が向上する。なぜならば、ユーザが、操作装置２０としての携帯電話機２１から、図５に示す操作用画像データ３をテレビ１１および電子レンジ１２に送信すれば、電子レンジ１２にて調理を実行させつつ、同時に、テレビ１１にて料理の出来上がり写真を閲覧することができるからである。
【００９４】
次に、図６に示す操作用画像データ３は、テレビ１１が実行可能であって、カーナビゲーションシステム１５が実行不可である“ＷＷＷ Ｇｅｔ”コマンド、および、カーナビゲーションシステム１５が実行可能であって、テレビ１１が実行不可である“位置指定”コマンドが含む画像データの例である。この画像データには、２つの処理指定情報５（処理指定情報５Ａおよび処理指定情報５Ｄ）が格納されている。処理指定情報５Ａは、既に述べたように、パラメータ７で指定されたＨＴＴＰサーバ９０（http://www.sample-page.jp）のＷｅｂページを取得するというコマンドである。また、処理指定情報５Ｄは、コマンド名６が“位置指定”であり、パラメータ７が“位置：東経１３５度、北緯３５度”である。この処理指定情報５Ｄは、上記パラメータ７で指定された経度および緯度に示される位置に基づいて、ナビゲーションやルート検索などの処理を実行するというコマンドである。
【００９５】
従って、操作装置２０としての携帯電話機２１から図６に示す操作用画像データ３をテレビ１１に送信すると、テレビ１１は、自装置で実行可能な“ＷＷＷ Ｇｅｔ”コマンドを実行し、“ＷＷＷ Ｇｅｔ”のパラメータ７で指定されたＵＲＬで示されるＨＴＴＰサーバ９０から、例えば観光案内などの情報を取得し、表示する。なお、テレビ１１は、“位置指定”コマンドで指定される処理は実行しない。
【００９６】
一方、操作装置２０としての携帯電話機２１から図６に示す操作用画像データ３をカーナビゲーションシステム１５に送信すると、カーナビゲーションシステム１５は、自装置で実行可能な“位置指定”コマンドのみで指定される処理を実行し、例えば、“位置指定”のパラメータ７で指定された位置を目的地としたナビゲーションやルート検索などを実行する。なお、カーナビゲーションシステム１５は、“ＷＷＷ Ｇｅｔ”コマンドは実行しない。
【００９７】
ここで、図７を参照しながら、携帯電話機２１の表示部に表示される、画像データを送信するためのメニュー画面例について説明する。図７は、携帯電話機２１の表示部２３３（後述）に表示される、画像データを送信するためのメニュー画面例を示す模式図である。
【００９８】
画面左部に表示されている画像Ｐ１〜Ｐ４は、送信すべき画像データの画像領域６１０に格納されている画像であり、処理指定情報５により指定される処理の内容を表している。例えば、画像Ｐ１〜Ｐ３は、処理指定情報５により指定される処理の内容が、料理に関するものであることを示している。また、画像Ｐ４は、処理指定情報５により指定される処理の内容が、位置情報に関するものであることを示している。なお、これら画像は、処理指定情報５により指定される処理がどのような処理であるかがユーザにわかりやすいアイコンなどになっていることが望ましい。
【００９９】
また、画像Ｐ１〜Ｐ４の右側にそれぞれ並べて表示されている文字列Ｌ１〜Ｌ４は、例えば、送信すべき画像データのファイル名であり、画像データの概要をユーザに示すものである。なお、ファイル名は、画像データを提供するサービス事業者が付与した名称をそのまま表示してもよいし、携帯電話機２１のユーザによって変更された後の名称を表示してもよい。
【０１００】
なお、図７の例では、画像Ｐ２および文字列Ｌ２で示される画像データが、図５で示した処理指定情報５Ｃを含む画像データであり、画像Ｐ４および文字列Ｌ４で示される画像データが、図６で示した指定処理情報５Ｄを含む画像データであることを想定している。
【０１０１】
携帯電話機２１のユーザが、画像データを画像データ受信処理装置１０へ送信するためのメニュー画面を開く操作を行なうと、図７に示す画面が携帯電話機２１の表示部２３３に表示される。そして、携帯電話機２１のユーザが画像Ｐ２を選択し、図３に示したように配置されているテレビ１１および電子レンジ１２の両方に通信可能な位置で、送信ボタンＢ１をユーザが操作すると、テレビ１１および電子レンジ１２の両方に同時に画像データを送信する。そして、該画像データを受信したテレビ１１は、自装置で実行可能な“ＷＷＷ Ｇｅｔ”コマンドを実行し、“ＷＷＷ Ｇｅｔ”のパラメータ７で指定されたＵＲＬで示されるＨＴＴＰサーバ９０からＷｅｂページを取得する。また、上記画像データを受信した電子レンジ１２は、自装置で実行可能な“料理レシピ”コマンドに基づいて、ユーザ指示により、調理を行なう。
【０１０２】
（携帯電話機２１の構成）
次に、図８を参照しながら、操作装置２０としての携帯電話機２１の概略構成について説明する。図８は、携帯電話機２１の概略構成を示すブロック図である。なお、図８に示す構成は一例であり、操作装置２０の構成が、図８に示す構成に限定されるものではない。
【０１０３】
図８に示すように携帯電話機２１は、制御部２１０、記憶部２２０、第１通信部２３１、第２通信部２３２、表示部２３３、および入力操作部２３４を含んで構成される。
【０１０４】
制御部２１０は、記憶部２２０、第１通信部２３１、第２通信部２３２、表示部２３３、および入力操作部２３４の制御を行なうとともに、所定の演算処理を行なうものである。所定の演算処理としては、例えば、画像データ提供装置３０からの画像データの受信処理などがある。制御部２１０は、例えばＣＰＵ（Central Processing Unit）等で構成することができる。制御部２１０の詳細な構成については後述する。
【０１０５】
記憶部２２０は、制御部２１０で利用される各種データ、プログラムの実行によって得られたデータなどを記憶するものであり、ＲＡＭ（Random Access Memory）などの揮発性メモリおよび、ＲＯＭ（Read-Only Memory）やフラッシュメモリなどの不揮発性メモリで実現される。上記各種データは、記憶部２２０内部の各種記憶部に記憶される。記憶部２２０は、画像データ記憶部２２１を含んでいる。画像データ記憶部２２１は、画像データを読み出し可能な状態で記憶する。
【０１０６】
なお、記憶部２２０は、必ずしも携帯電話機２１に備えられる必要はなく、外部記憶装置として、読み取り可能な状態で携帯電話機２１に接続される構成であってもよい。また、ＳＤカードのような、携帯電話機２１に着脱可能なメモリ（メモリカード）であってもよい。
【０１０７】
第１通信部２３１は、携帯電話機２１が、画像データ提供装置３０などの外部装置と通信を行なうためのものである。第１通信部２３１は、通信ネットワーク４００としての携帯電話網４０１と接続可能に構成されている。
【０１０８】
第２通信部２３２は、テレビ１１および電子レンジ１２などの画像データ受信処理装置１０と通信を行なうためのものである。第２通信部２３２は、テレビ１１の無線通信部１３１および電子レンジ１２の無線通信部１６１と通信可能に構成されている。なお、本実施の形態では、携帯電話機２１から、赤外線通信プロトコルにて画像データを送信することを想定しているので、第２通信部２３２は赤外線発光部を含んで構成されており、画像データを乗せた赤外線搬送波を該赤外線発光部から送信する。第２通信部２３２の詳細については後述する。
【０１０９】
表示部２３３は、制御部２１０の指示に基づいて画像データなどを表示する表示装置である。例えば、ＬＣ（Liquid Crystal）表示パネルやＥＬ（Electro Luminescence）表示パネル、ＣＲＴ（cathode-ray tube）表示装置等を表示部２３３として適用することができる。
【０１１０】
入力操作部２３４は、携帯電話機２１のユーザの入力操作を受けつけるものである。入力操作部２３４は、例えば、操作キー、スイッチ、タッチパネルなどの入力デバイスで構成される。入力操作部２３４は、携帯電話機２１のユーザの入力操作に応じた制御信号を生成し、該生成した制御信号を、イベント処理部２１２（後述）へ送信する。
【０１１１】
携帯電話機２１のユーザの入力操作としては、画像データ記憶部２２１に格納されている画像データを表示部２３３に表示させる操作、表示部２３３に表示された画像データを選択する操作、該選択した画像データを画像データ受信処理装置１０へ送信する操作などがある。したがって、上記生成される制御信号としては、画像データ記憶部２２１に格納されている画像データを表示部２３３に表示させる旨の信号、携帯電話機２１のユーザが選択した画像データを画像データ受信処理装置１０へ送信する旨の信号などがある。
【０１１２】
次に、制御部２１０について詳細に説明する。制御部２１０は、画像データ取得部２１１、イベント処理部２１２、画像データ表示処理部２１３、および画像データ送信部２１４を含んでいる。
【０１１３】
まず、画像データ取得部２１１について説明する。画像データ取得部２１１は、第１通信部２３１を介して、画像データ提供装置３０から、画像データを取得する。画像データの取得方法としては、上述したように、画像データが添付されている電子メールを画像データ提供装置３０から受信したり、画像データ提供装置３０からダウンロードするものとするが、特に限定されるものではない。なお、電子メールを受信するにあたっては、携帯電話機２１のユーザが何も操作することなく受信可能であることが望ましい。
【０１１４】
そして、画像データ取得部２１１は、取得した画像データを画像データ記憶部２２１に格納する。なお、上記受信した電子メールに添付されている画像データを、画像データ記憶部２２１に格納する場合、上記受信した電子メールとは別に、画像データだけを画像データ記憶部２２１に格納する。
【０１１５】
次に、イベント処理部２１２について説明する。イベント処理部２１２は、携帯電話機２１のユーザの入力操作によって入力操作部２３４から送信される制御信号を受信し、該受信した制御信号の内容に応じて、各部に指示を行なう。
【０１１６】
特に、上記制御信号が、画像データ記憶部２２１に格納されている画像データを表示させる旨の信号であれば、その旨の指示を画像データ表示処理部２１３に送る。また、上記制御信号が、携帯電話機２１のユーザが選択した画像データを画像データ受信処理装置１０へ送信する旨の信号であれば、その旨の指示を画像データ送信部２１４に送る。
【０１１７】
次に、画像データ表示処理部２１３について説明する。画像データ表示処理部２１３は、イベント処理部２１２からの指示に応じて、画像データ記憶部２２１に格納されている画像データを取得し、携帯電話機２１のユーザが画像データを選択可能なように、表示部２３３に表示する。例えば、画像データ記憶部２２１に格納されている画像データをユーザ選択可能に一覧表示するメニューを生成し、該生成したメニューを表示部２３３に表示する（図７）。
【０１１８】
なお、画像データ表示処理部２１３は、画像データに含まれる画像情報を展開するためのデコーダを含んでいる。より具体的には、画像データに含まれている圧縮（あるいは符号化）された画像情報を読み出し、該読み出した画像情報を表示可能な形式に展開（あるいは復号）する。上記デコーダは、ＪＰＥＧ形式やＴＩＦＦ（Tag Image File Format）形式など各種形式の画像データに対応しており、展開対象となる画像データの形式に応じた展開処理を実行する。
【０１１９】
次に、画像データ送信部２１４について説明する。画像データ送信部２１４は、イベント処理部２１２からの指示に応じて、携帯電話機２１のユーザが選択している画像データを、第２通信部２３２を介して、画像データ受信処理装置１０へ送信する。
【０１２０】
なお、携帯電話機２１は、上記機能の他、携帯電話機が一般的に備える機能（音声通話機能、メール送受信機能、インターネットアクセス機能など）を備えているものとする。
【０１２１】
（テレビ１１の構成）
次に、図１を参照しながら、画像データ受信処理装置１０としてのテレビ１１の概略構成について説明する。図１は、テレビ１１の概略構成を示すブロック図である。なお、図１に示す構成は一例であり、画像データ受信処理装置１０の構成が、図１に示す構成に限定されるものではない。
【０１２２】
図１に示すようにテレビ１１は、制御部１１０、記憶部１２０、無線通信部１３１、外部通信部１３２、表示部１３３、入力操作部１３４、放送データ受信部１３５、および外部入力部１３７を含んで構成される。
【０１２３】
制御部１１０は、記憶部１２０、無線通信部１３１、外部通信部１３２、表示部１３３、入力操作部１３４、放送データ受信部１３５、および外部入力部１３７の制御を行なうとともに、所定の演算処理を行なうものである。所定の演算処理としては、例えば、操作装置２０としての携帯電話機２１から送信される画像データの受信処理などがある。制御部１１０は、例えばＣＰＵ等で構成することができる。制御部１１０の詳細な構成については後述する。
【０１２４】
記憶部１２０は、制御部１１０で利用される各種データ、プログラムの実行によって得られたデータなどを記憶するものであり、ＲＡＭなどの揮発性メモリおよび、ＲＯＭやフラッシュメモリなどの不揮発性メモリで実現される。上記各種データは、記憶部１２０内部の各種記憶部に記憶される。記憶部１２０は、画像データ記憶部１２１、実行可能処理記憶部１２２、および処理指定情報記憶部１２３を含んでいる。
【０１２５】
画像データ記憶部１２１は、操作装置２０から送信された画像データを読み出し可能な状態で記憶するものである。
【０１２６】
実行可能処理記憶部１２２は、テレビ１１が実行可能な処理を指定するコマンドを識別可能な情報を記憶するものである。例えば、テレビ１１が実行可能なコマンドのコマンド名６のリストを記憶する。なお、実行可能処理記憶部１２２に記憶される情報は、工場出荷時などの時点で予め設定されていてもよいし、テレビ１１のユーザが入力操作部１３４を用いて設定可能になっていてもよい。
【０１２７】
処理指定情報記憶部１２３は、操作装置２０から送信された画像データに処理指定情報５が含まれる場合、その処理指定情報５のうち、テレビ１１が実行可能な処理を指定する処理指定情報５を記憶するものである。
【０１２８】
なお、記憶部１２０は、必ずしもテレビ１１に備えられる必要はなく、外部記憶装置として、読み取り可能な状態でテレビ１１に接続される構成であってもよい。また、ＳＤカードのような、テレビ１１に着脱可能なメモリ（メモリカード）であってもよい。
【０１２９】
無線通信部１３１は、テレビ１１が、操作装置２０としての携帯電話機２１と通信を行なうためのものである。無線通信部１３１は、携帯電話機２１の第２通信部２３２と通信可能に構成されている。なお、本実施の形態では、テレビ１１は、携帯電話機２１から、赤外線通信プロトコルにて画像データを受信することを想定しているので、無線通信部１３１は、携帯電話機２１の第２通信部２３２から発せられた赤外線を受光して電気信号に変換する赤外線受光部を含んで構成されており、該赤外線受光部にて得られた電気信号を所定の赤外線通信プロトコルに従ってデジタルデータに変換する。なお、無線通信部１３１が用いるプロトコルは、携帯電話機２１の第２通信部２３２が用いるプロトコルと同一であり、例えばＩｒＳｉｍｐｌｅやＩｒＳＳである。無線通信部１３１の詳細については後述する。
【０１３０】
外部通信部１３２は、テレビ１１が、外部装置と通信を行なうためのものである。外部通信部１３２は、インターネットなどの通信ネットワーク８００と接続可能に構成されている。なお、図示していないが、外部通信部１３２と通信ネットワーク８００との間には、ＬＡＮ（Local Area Network）やルータ等の通信を行なうために必要な構成が適宜設けられている。
【０１３１】
表示部１３３は、制御部１１０の指示に基づいて画像データや映像などを表示する表示装置である。例えば、ＬＣ表示パネルやＥＬ表示パネル、ＣＲＴ表示装置等を表示部１３３として適用することができる。
【０１３２】
入力操作部１３４は、テレビ１１のユーザの入力操作を受けつけるものである。ここでは、入力操作部１３４として各種入力操作に対応する操作キーが設けられていることを想定している。具体的には、チャンネルの変更、音量の増減、テレビ１１の電源のオン／オフ等の入力操作用の操作キーが設けられていることを想定している。そして、入力操作部１３４は、テレビ１１のユーザの入力操作に応じた制御信号を生成し、該生成した制御信号を、イベント処理部１１３へ送信する。
【０１３３】
テレビ１１のユーザの入力操作としては、テレビ１１が備える一般的な機能を設定する操作や、後述する表示モードの切り替え操作などがある。したがって、上記生成される制御信号としては、テレビ１１が備える一般的な機能を設定する旨の信号や、表示モードを切り替える旨の信号などがある。
【０１３４】
放送データ受信部１３５は、制御部１１０から指定されたチャンネルの放送波を選択して受信し、これを所定の信号に変換して出力する。放送データ受信部１３５は、放送波を受信する機能および該受信した放送波を所定信号へ変換する機能を備えていればよく、例えば地上デジタルチューナ、ＢＳチューナ、ＣＳチューナ等、従来の一般的なチューナを適用することができる。
【０１３５】
外部入力部１３７は、図示しない接続ケーブルなどを介して、レコーダ１３などの外部機器と通信可能に構成されている。そして、外部機器から出力されるデータを、テレビ１１への入力データ（外部入力）として受けつける。外部入力部１３７は、１または複数の外部入力端子を備えており、外部入力端子ごとに外部機器が接続されるものとする。例えば、ある外部入力端子にレコーダ１３が接続され、また別の外部入力端子にＰＣ１４が接続される等である。そして、外部入力部１３７は、制御部１１０からの指示に応じて、１または複数の外部入力端子に接続されている外部機器から出力されるデータのいずれかを、テレビ１１への入力データとして受けつけるように、切り替えるものとする（つまり、外部入力を切り替える）。
【０１３６】
なお、以下では、“外部入力端子Ｎに接続されている外部機器から出力されるデータを、テレビ１１への入力データとして受けつけるように切り替える”ことを、“外部入力Ｎに切り替える”と称する。そして、レコーダ１３が接続ケーブル７００を介して外部入力端子Ｎ１に接続されているものとする。したがって、レコーダ１３から出力されるデータを、テレビ１１への入力データとして受けつけるように切り替えることを、“外部入力Ｎ１に切り替える”と称する。
【０１３７】
次に、制御部１１０について詳細に説明する。制御部１１０は、画像データ受信部（処理指定情報取得手段）１１１、処理指定情報抽出部（処理指定情報取得手段、処理指定情報抽出手段）１１２、イベント処理部１１３、表示モード管理部１１４、処理実行部（現在モード取得手段、処理実行手段）１１５、および放送データ出力処理部１１７を含んでいる。
【０１３８】
まず、画像データ受信部１１１について説明する。画像データ受信部１１１は、無線通信部１３１を介して、操作装置２０としての携帯電話機２１から送信される画像データを受信する。そして、画像データ受信部１１１は、受信した画像データを画像データ記憶部１２１に格納する。
【０１３９】
次に、処理指定情報抽出部１１２について説明する。処理指定情報抽出部１１２は、画像データ受信部１１１が画像データを画像データ記憶部１２１に格納したことをトリガとして、該格納された画像データに処理指定情報５が含まれているかを判定し、処理指定情報５が含まれていれば、処理指定情報５を抽出する。
【０１４０】
そして、処理指定情報抽出部１１２は、該抽出した処理指定情報５のうち、テレビ１１にて実行可能な処理を指定するコマンド（“ＷＷＷ Ｇｅｔ”、“ＷＷＷ Ｐｏｓｔ”、“フォトアルバム”、“テレビコマンド”など）を含む処理指定情報５のみを処理指定情報記憶部１２３に格納する。
【０１４１】
このとき、処理指定情報抽出部１１２は、実行可能処理記憶部１２２に格納されている、テレビ１１が実行可能な処理を指定するコマンドを識別可能な情報に基づいて、上記抽出した処理指定情報５のうち、テレビ１１にて実行可能な処理を指定するコマンドを含む処理指定情報５がいずれであるかを判定する。例えば、実行可能処理記憶部１２２に、テレビ１１が実行可能な処理を指定するコマンドのコマンド名６のリストが記憶されている場合、上記抽出した処理指定情報５のうち、該リストに含まれるコマンド名６を有する処理指定情報５を、処理指定情報記憶部１２３に格納する。
【０１４２】
なお、（１）画像データが処理指定情報５を含まない場合（すなわち、画像データが表示用画像データ４である場合）、および、（２）上記抽出した処理指定情報５のいずれもが、テレビ１１にて実行可能な処理を指定するコマンドを含まない場合、処理指定情報抽出部１１２は、処理指定情報記憶部１２３に何も格納することなく、処理を終了する。
【０１４３】
次に、イベント処理部１１３について説明する。イベント処理部１１３は、テレビ１１のユーザの入力操作によって入力操作部１３４から送信される制御信号を受信し、該受信した制御信号の内容に応じて、各部に指示を行なう。特に、上記制御信号が、表示モードの切り替える旨の信号であれば、その旨の指示を表示モード管理部１１４に送る。
【０１４４】
次に、表示モード管理部１１４について説明する。表示モード管理部１１４は、現在の「表示モード」を管理する。表示モードとは、どのようなデータが表示部１３３に表示可能な状態にあるかを示す情報である。そして、表示モード管理部１１４は、表示部１３３に表示するデータの種類に応じて、表示モードを切り替える。本実施の形態では、表示モードとして、（１）ブラウザモード、（２）アルバムモード、（３）画像表示モード、（４）放送モード、の４つのモードをとり得るものとする。
【０１４５】
ブラウザモードは、ＨＴＴＰサーバ９０から取得したＷｅｂページなどを表示部１３３に表示する場合に設定される表示モードである。アルバムモードは、フォトアルバムサーバ９１から取得した写真データ群の写真を表示部１３３に表示する場合に設定される表示モードである。画像表示モードは、画像データを表示部１３３に表示する場合に設定される表示モードである。放送モードは、放送データ受信部１３５が受信したチャンネルの映像を表示部１３３に出力する場合に設定される表示モードである。
【０１４６】
そして、表示モード管理部１１４は、後述するＨＴＴＰサーバアクセス処理部１１５１、フォトアルバム処理部１１５２、画像データ表示処理部１１５４、放送データ出力処理部１１７からの指示に従って、表示モードを切り替える。また、イベント処理部１１３からの指示に応じて、表示モードを切り替える。
【０１４７】
なお、表示モードの管理方法は、上記４つのモードが管理可能であれば、特に限定されるものではない。例えば、所定の内部ファイルに、現在の表示モードが識別可能なコードを書き込むことにより、現在の表示モードを管理してもよい。
【０１４８】
次に、処理実行部１１５について説明する。処理実行部１１５は、処理指定情報抽出部１１２の処理が終了したことをトリガとして、処理指定情報記憶部１２３に格納されている処理指定情報５に基づいて、各種処理を実行する。そのために、処理実行部１１５は、ＨＴＴＰサーバアクセス処理部１１５１、フォトアルバム処理部１１５２、テレビコマンド処理部１１５３、および画像データ表示処理部１１５４を含んでいる。
【０１４９】
ＨＴＴＰサーバアクセス処理部１１５１は、コマンド名６が“ＷＷＷ Ｇｅｔ”である処理指定情報５が処理指定情報記憶部１２３に格納されている場合において、外部通信部１３２を介して、当該処理指定情報５のパラメータ７で指定されたＵＲＬで示されるＨＴＴＰサーバ９０のＷｅｂページを取得する。そして、該取得したＷｅｂページを表示部１３３に出力する。
【０１５０】
さらに、ＨＴＴＰサーバアクセス処理部１１５１は、コマンド名６が“ＷＷＷ Ｐｏｓｔ”である処理指定情報５が処理指定情報記憶部１２３に格納されている場合において、外部通信部１３２を介して、当該処理指定情報５のパラメータ７で指定されたＵＲＬで示されるＨＴＴＰサーバ９０に、当該処理指定情報５を含んでいる画像データを送信する。該画像データは、画像データ記憶部１２１から取得する。なお、画像データを送信した応答として、ＨＴＴＰサーバ９０から所定のデータが返信される場合、ＨＴＴＰサーバアクセス処理部１１５１は、該所定のデータを表示部１３３に出力する。
【０１５１】
なお、上記取得したＷｅｂページおよび上記所定のデータを表示部１３３に出力する時点の表示モードがブラウザモードでなければ、ＨＴＴＰサーバアクセス処理部１１５１は、表示モード管理部１１４に対して、表示モードをブラウザモードに切り替える旨を指示する。
【０１５２】
次に、フォトアルバム処理部１１５２は、コマンド名６が“フォトアルバム”である処理指定情報５が、処理指定情報記憶部１２３に格納されている場合において、外部通信部１３２を介して、フォトアルバムサーバ９１にアクセスし、当該処理指定情報５のパラメータ７で指定されたＩＤで特定されるアルバムに属する写真データ群を取得する。そして、該取得した写真データ群の写真を表示部１３３に一覧表示、あるいは、スライドショー表示する。
【０１５３】
なお、上記取得した写真データ群の写真を表示部１３３に表示する時点の表示モードがアルバムモードでなければ、フォトアルバム処理部１１５２は、表示モード管理部１１４に対して、表示モードをアルバムモードに切り替える旨を指示する。
【０１５４】
次に、テレビコマンド処理部１１５３は、コマンド名６が“テレビコマンド”である処理指定情報５が、処理指定情報記憶部１２３に格納されている場合において、当該処理指定情報５のパラメータ７で指定された情報に基づいて、テレビ１１を制御する。例えば、処理指定情報５のパラメータ７で指定された情報が、テレビ１１の外部入力を切り替える旨であれば、テレビコマンド処理部１１５３は、外部入力部１３７に対して、パラメータ７で指定された情報に基づいて、外部入力を切り替える旨を指示する。
【０１５５】
次に、画像データ表示処理部１１５４は、画像データが処理指定情報５を含まないために、処理指定情報抽出部１１２が処理指定情報記憶部１２３に何も格納することなく処理を終了した場合において、当該画像データを表示部１３３に出力する。当該画像データは、画像データ記憶部１２１から取得する。
【０１５６】
なお、画像データを表示部１３３に出力する時点の表示モードが画像表示モードでなければ、画像データ表示処理部１１５４は、表示モード管理部１１４に対して、表示モードを画像表示モードに切り替える旨を指示する。
【０１５７】
なお、画像データ表示処理部１１５４は、画像データに含まれる画像情報を展開するためのデコーダを含んでいる。より具体的には、画像データに含まれている圧縮（あるいは符号化）された画像情報を読み出し、該読み出した画像情報を表示可能な形式に展開（あるいは復号）する。上記デコーダは、ＪＰＥＧ形式やＴＩＦＦ形式など各種形式の画像データに対応しており、展開対象となる画像データの形式に応じた展開処理を実行する。
【０１５８】
次に、放送データ出力処理部１１７について説明する。放送データ出力処理部１１７は、放送データ受信部１３５が出力した信号に対してデコード等の処理を施すことによって、受信したチャンネルの映像を、表示部１３３に出力する。
【０１５９】
なお、放送データ出力処理部１１７は、映像を表示部１３３に出力する時点の表示モードが放送モードでなければ、表示モード管理部１１４に対して、表示モードを放送モードに切り替える旨を指示する。
【０１６０】
上記機能の他、テレビ１１は、テレビジョン受像機が一般的に備える機能（チャンネルの切り替え機能、音量の調整機能、画面の明るさの調整機能など）を備えているものとする。
【０１６１】
（電子レンジ１２の構成）
次に、図９を参照しながら、画像データ受信処理装置１０としての電子レンジ１２の概略構成について説明する。図９は、電子レンジ１２の概略構成を示すブロック図である。なお、図９に示す構成は一例であり、画像データ受信処理装置１０の構成が、図９に示す構成に限定されるものではない。
【０１６２】
図９に示すように電子レンジ１２は、制御部１４０、記憶部１５０、無線通信部１６１、表示部１６３、入力操作部１６４、および電磁波発生部１６６を含んで構成される。
【０１６３】
制御部１４０は、記憶部１５０、無線通信部１６１、表示部１６３、入力操作部１６４、および電磁波発生部１６６の制御を行なうとともに、所定の演算処理を行なうものである。所定の演算処理としては、例えば、操作装置２０としての携帯電話機２１から送信される画像データの受信処理などがある。制御部１４０は、例えばＣＰＵ等で構成することができる。制御部１４０の詳細な構成については後述する。
【０１６４】
記憶部１５０は、制御部１４０で利用される各種データ、プログラムの実行によって得られたデータなどを記憶するものであり、ＲＡＭなどの揮発性メモリおよび、ＲＯＭやフラッシュメモリなどの不揮発性メモリで実現される。上記各種データは、記憶部１５０内部の各種記憶部に記憶される。記憶部１５０は、画像データ記憶部１５１、実行可能処理記憶部１５２、および処理指定情報記憶部１５３を含んでいる。
【０１６５】
画像データ記憶部１５１は、操作装置２０から送信された画像データを読み出し可能な状態で記憶するものである。
【０１６６】
実行可能処理記憶部１５２は、電子レンジ１２が実行可能な処理を指定するコマンドを識別可能な情報を記憶するものである。例えば、電子レンジ１２が実行可能な処理を指定するコマンドのコマンド名６のリストを記憶する。実行可能処理記憶部１５２に記憶される情報は、工場出荷時などの時点で予め設定されていてもよいし、電子レンジ１２のユーザが入力操作部１６４を用いて設定可能になっていてもよい。
【０１６７】
処理指定情報記憶部１５３は、操作装置２０から送信された画像データに処理指定情報５が含まれる場合、その処理指定情報５のうち、電子レンジ１２が実行可能な処理を指定する処理指定情報５を記憶するものである。
【０１６８】
なお、記憶部１５０は、必ずしも電子レンジ１２に備えられる必要はなく、外部記憶装置として、読み取り可能な状態で電子レンジ１２に接続される構成であってもよい。また、ＳＤカードのような、電子レンジ１２に着脱可能なメモリ（メモリカード）であってもよい。
【０１６９】
無線通信部１６１は、電子レンジ１２が、操作装置２０としての携帯電話機２１と通信を行なうためのものである。無線通信部１６１は、携帯電話機２１の第２通信部２３２と通信可能に構成されている。無線通信部１６１の詳細については後述する。
【０１７０】
表示部１６３は、制御部１４０の指示に基づいて画像データなどを表示する表示装置である。例えば、ＬＣ表示パネルやＥＬ表示パネル、ＣＲＴ表示装置等を表示部１６３として適用することができる。
【０１７１】
入力操作部１６４は、電子レンジ１２のユーザの入力操作を受けつけるものである。ここでは、入力操作部１６４として各種入力操作（調理時間の設定、加熱温度の設定、料理レシピの表示指示、選択した料理レシピに従った調理指示など）に対応する操作キーが設けられていることを想定している。そして、入力操作部１６４は、電子レンジ１２のユーザの入力操作に応じた制御信号を生成し、該生成した制御信号を、イベント処理部１４３へ送信する。したがって、上記生成される制御信号としては、料理レシピを表示する旨の信号、電子レンジ１２のユーザが選択した料理レシピに基づいて調理を行なう旨の信号などがある。
【０１７２】
電磁波発生部１６６は、制御部１４０の指示に基づいて、高周波の電磁波を発生し、該発生した電磁波を食品等に照射して発熱させるものである。電磁波発生部１６６は、高周波の電磁波を発生させる機能を備えていればよく、一般的に知られているものを適用することができる。
【０１７３】
次に、制御部１４０について詳細に説明する。制御部１４０は、画像データ受信部（処理指定情報取得手段）１４１、処理指定情報抽出部（処理指定情報取得手段、処理指定情報抽出手段）１４２、イベント処理部１４３、レシピ表示処理部１４４、および処理実行部（処理実行手段）１４５を含んでいる。
【０１７４】
まず、画像データ受信部１４１について説明する。画像データ受信部１４１は、無線通信部１６１を介して、操作装置２０としての携帯電話機２１から送信される画像データを受信する。そして、画像データ受信部１４１は、受信した画像データを画像データ記憶部１５１に格納する。
【０１７５】
次に、処理指定情報抽出部１４２について説明する。処理指定情報抽出部１４２は、画像データ受信部１４１が画像データを画像データ記憶部１５１に格納したことをトリガとして、該格納された画像データに処理指定情報５が含まれているかを判定し、処理指定情報５が含まれていれば、処理指定情報５を抽出する。
【０１７６】
そして、処理指定情報抽出部１４２は、該抽出した処理指定情報５のうち、電子レンジ１２にて実行可能な処理を指定するコマンド（“料理レシピ”など）を含む処理指定情報５のみを処理指定情報記憶部１５３に格納する。
【０１７７】
このとき、処理指定情報抽出部１４２は、実行可能処理記憶部１５２に格納されている、電子レンジ１２が実行可能なコマンドを識別可能な情報に基づいて、上記抽出した処理指定情報５のうち、電子レンジ１２にて実行可能な処理を指定する処理指定情報５がいずれであるかを判別する。例えば、実行可能処理記憶部１５２に、電子レンジ１２が実行可能な処理を指定するコマンドのコマンド名６のリストが記憶されている場合、上記抽出した処理指定情報５のうち、該リストに含まれるコマンド名６を有する処理指定情報５を、処理指定情報記憶部１５３に格納する。
【０１７８】
次に、イベント処理部１４３について説明する。イベント処理部１４３は、電子レンジ１２のユーザの入力操作によって入力操作部１６４から送信される制御信号を受信し、該受信した制御信号の内容に応じて、各部に指示を行なう。特に、上記制御信号が、料理レシピを一覧表示する旨の信号であれば、その旨の指示をレシピ表示処理部１４４に送る。また、上記制御信号が、電子レンジ１２のユーザが選択した料理レシピに基づいて調理を行なう旨の信号であれば、その旨の指示を処理実行部１４５に送る。
【０１７９】
次に、レシピ表示処理部１４４について説明する。レシピ表示処理部１４４は、イベント処理部１４３からの指示に応じて、処理指定情報記憶部１５３に格納されている“料理レシピ”の処理指定情報５を取得し、電子レンジ１２のユーザが選択可能なように表示部１６３に表示する。
【０１８０】
次に、処理実行部１４５について説明する。処理実行部１４５は、イベント処理部１４３からの指示に応じて、電子レンジ１２のユーザが選択している処理指定情報５に基づいて、各種処理を実行する。そのために、処理実行部１４５は、電磁波制御部１４５１を含んでいる。
【０１８１】
電磁波制御部１４５１は、電子レンジ１２のユーザが選択している処理指定情報５のパラメータ７で指定されたレシピデータに従って、電磁波発生部１６６などの動作を制御する。
【０１８２】
なお、電子レンジ１２は、上記機能の他、一般的な電子レンジが備える機能を備えているものとする。
【０１８３】
（携帯電話機２１と、テレビ１１および電子レンジ１２との通信）
上述したように、携帯電話機２１の第２通信部２３２は、テレビ１１の無線通信部１３１と通信可能に構成されている。同様に、携帯電話機２１の第２通信部２３２は、電子レンジ１２の無線通信部１６１と通信可能に構成されている。すなわち、携帯電話機２１とテレビ１１とは、第２通信部２３２と無線通信部１３１とで形成される通信路を用いて通信を行なうことができるようになっている。同様に、携帯電話機２１と電子レンジ１２とは、第２通信部２３２と無線通信部１６１とで形成される通信路を用いて通信を行なうことができるようになっている。
【０１８４】
第２通信部２３２と無線通信部１３１とで形成される通信路、および、第２通信部２３２と無線通信部１６１とで形成される通信路は、それぞれ、携帯電話機２１とテレビ１１との間、および、携帯電話機２１と電子レンジ１２との間で、画像データの送受信を行なうために使用される。ここでは、通信路には、上述したように、ＩｒＳＳプロトコルによる赤外線通信を適用することを想定している。すなわち、第２通信部２３２、無線通信部１３１、無線通信部１６１は、ＩｒＳＳプロトコルによる赤外線通信にて信号の送受信を行なうことのできる通信部である。
【０１８５】
（携帯電話機２１における処理の流れの概要）
次に、図１０を参照しながら、携帯電話機２１が、画像データ提供装置３０から受信した画像データを、画像データ受信処理装置１０に送信する流れの概略について説明する。図１０は、携帯電話機２１が、画像データ提供装置３０から受信した画像データを、画像データ受信処理装置１０に送信する流れの概略を示すフローチャートである。なお、図１０に示す処理の流れは一例であり、これに限定されるものではない。
【０１８６】
まず、携帯電話機２１の画像データ取得部２１１が、画像データ提供装置３０から第１通信部２３１を介して、画像データを取得し、該取得した画像データを画像データ記憶部２２１に格納する（ステップＳ１０１）。画像データの取得方法としては、上述したように、画像データが添付されている電子メールを画像データ提供装置３０から受信したり、画像データ提供装置３０からダウンロードするものとするが、特に限定されるものではない。
【０１８７】
そして、携帯電話機２１のユーザが、画像データを表示させる操作を行なうと、入力操作部２３４から送信される制御信号を受信したイベント処理部２１２が、画像データ表示処理部２１３に指示を送る。そして、画像データ表示処理部２１３が、画像データ記憶部２２１に格納されている画像データを取得し、携帯電話機２１のユーザが画像データを選択できるように（例えば、画像データを一覧表示するメニューとして）、表示部２３３に表示する（ステップＳ１０２）。
【０１８８】
そして、携帯電話機２１のユーザが、画像データを選択する操作を行い（ステップＳ１０３）、該選択した画像データを画像データ受信処理装置１０へ送信する操作を行なうと（ステップＳ１０４にてＹＥＳ）、画像データ送信部２１４は、上記選択した画像データを、第２通信部２３２を介して、画像データ受信処理装置１０（テレビ１１および電子レンジ１２の少なくともいずれか）へ送信する（ステップＳ１０５）。なお、画像データ受信処理装置１０への画像データの送信が何らかの原因で成功しなかった等により、ユーザが上記選択した画像データを再送信する旨を指示した場合（ステップＳ１０６にてＹＥＳ）、再びステップＳ１０５に戻る。
【０１８９】
一方、携帯電話機２１のユーザが、上記選択した画像データを画像データ受信処理装置１０へ送信する操作を行なわず（ステップＳ１０４にてＮＯ）、画像データを画像データ受信処理装置１０へ送信することをキャンセルする旨の操作を行なうと（ステップＳ１０７にてＹＥＳ）、処理を終了する。
【０１９０】
なお、画像データを画像データ受信処理装置１０へ送信することをキャンセルする旨の操作を行なわない場合（ステップＳ１０７にてＮＯ）、再び、画像データを選択する操作に戻る（ステップＳ１０３に戻る）。
【０１９１】
（テレビ１１における処理の流れの概要）
次に、図１１を参照しながら、画像データを受信したテレビ１１が行なう処理の流れの概略について説明する。図１１は、画像データを受信したテレビ１１が行なう処理の流れの概略を示すフローチャートである。なお、図１１に示す処理の流れは一例であり、これに限定されるものではない。
【０１９２】
まず、画像データ受信部１１１が、無線通信部１３１を介して、操作装置２０としての携帯電話機２１から送信される画像データを受信すると、該受信した画像データを画像データ記憶部１２１に格納する（ステップＳ２０１）。
【０１９３】
そして、処理指定情報抽出部１１２が、上記格納された画像データに処理指定情報５が含まれているかを判定し、処理指定情報５が含まれていれば、処理指定情報５を抽出する。そして、該抽出した処理指定情報５のうち、テレビ１１にて実行可能な処理を指定するコマンド（“ＷＷＷ Ｇｅｔ”、“ＷＷＷ Ｐｏｓｔ”、“フォトアルバム”、“テレビコマンド”など）を含む処理指定情報５のみを処理指定情報記憶部１２３に格納する（ステップＳ２０２）。
【０１９４】
次に、処理実行部１１５が、処理指定情報記憶部１２３に格納されている処理指定情報５に基づいて、各種処理を実行する。
【０１９５】
具体的には、コマンド名６が“ＷＷＷ Ｇｅｔ”である処理指定情報５が処理指定情報記憶部１２３に格納されている場合（ステップＳ２０３にてＹＥＳ）、ＨＴＴＰサーバアクセス処理部１１５１が、外部通信部１３２を介して、当該処理指定情報５のパラメータ７で指定されたＵＲＬで示されるＨＴＴＰサーバ９０のＷｅｂページを取得する（ステップＳ２０４）。そして、該取得したＷｅｂページを表示部１３３に出力する（ステップＳ２０５）。
【０１９６】
なお、上記取得したＷｅｂページを表示部１３３に出力するにあたり、表示モードがブラウザモードでなければ、ＨＴＴＰサーバアクセス処理部１１５１は、表示モード管理部１１４に対して、表示モードをブラウザモードに切り替える旨を指示し、表示モード管理部１１４は、表示モードをブラウザモードに切り替える。
【０１９７】
一方、コマンド名６が“ＷＷＷ Ｇｅｔ”である処理指定情報５が処理指定情報記憶部１２３に格納されておらず（ステップＳ２０３にてＮＯ）、コマンド名６が“ＷＷＷ Ｐｏｓｔ”である処理指定情報５が処理指定情報記憶部１２３に格納されている場合（ステップＳ２０６にてＹＥＳ）、ＨＴＴＰサーバアクセス処理部１１５１が、外部通信部１３２を介して、当該処理指定情報５のパラメータ７で指定されたＵＲＬで示されるＨＴＴＰサーバ９０に、当該処理指定情報５を含んでいる画像データを送信する（ステップＳ２０７）。
【０１９８】
そして、画像データを送信した応答として、ＨＴＴＰサーバ９０から所定のデータが返信される場合、ＨＴＴＰサーバアクセス処理部１１５１は、外部通信部１３２を介して、該所定のデータを受信し、表示部１３３に出力する（ステップＳ２０８）。
【０１９９】
なお、上記受信したデータを表示部１３３に出力するにあたり、表示モードがブラウザモードでなければ、ＨＴＴＰサーバアクセス処理部１１５１は、表示モード管理部１１４に対して、表示モードをブラウザモードに切り替える旨を指示し、表示モード管理部１１４は、表示モードをブラウザモードに切り替える。
【０２００】
一方、コマンド名６が“ＷＷＷ Ｐｏｓｔ”である処理指定情報５が処理指定情報記憶部１２３に格納されておらず（ステップＳ２０６にてＮＯ）、コマンド名６が“フォトアルバム”である処理指定情報５が処理指定情報記憶部１２３に格納されている場合（ステップＳ２０９にてＹＥＳ）、フォトアルバム処理部１１５２が、外部通信部１３２を介して、フォトアルバムサーバ９１にアクセスし、当該処理指定情報５のパラメータ７で指定されたＩＤで特定されるアルバムに属する写真データ群を取得する（ステップＳ２１０）。そして、該取得した写真データ群の写真を表示部１３３に一覧表示、あるいは、スライドショー表示する（ステップＳ２１１）。
【０２０１】
なお、上記取得した写真データ群の写真を表示部１３３に表示するにあたり、表示モードがアルバムモードでなければ、フォトアルバム処理部１１５２は、表示モード管理部１１４に対して、表示モードをアルバムモードに切り替える旨を指示し、表示モード管理部１１４は、表示モードをアルバムモードに切り替える。
【０２０２】
一方、コマンド名６が“フォトアルバム”である処理指定情報５が処理指定情報記憶部１２３に格納されておらず（ステップＳ２０９にてＮＯ）、コマンド名６が“テレビコマンド”である処理指定情報５が処理指定情報記憶部１２３に格納されている場合（ステップＳ２１２にてＹＥＳ）、テレビコマンド処理部１１５３が、当該処理指定情報５のパラメータ７で指定された情報に基づいて、テレビ１１を制御する（ステップＳ２１３）。
【０２０３】
一方、コマンド名６が“テレビコマンド”である処理指定情報５が処理指定情報記憶部１２３に格納されておらず（ステップＳ２１２にてＮＯ）、処理指定情報記憶部１２３に何も処理指定情報５が格納されていなければ、画像データ表示処理部１１５４が、画像データを表示部１３３に出力する（ステップＳ２１４）。
【０２０４】
なお、画像データを表示部１３３に出力するにあたり、表示モードが画像表示モードでなければ、画像データ表示処理部１１５４は、表示モード管理部１１４に対して、表示モードを画像表示モードに切り替える旨を指示し、表示モード管理部１１４は、表示モードを画像表示モードに切り替える。
【０２０５】
なお、図１１示したフローチャートでは、処理指定情報記憶部１２３に、コマンド名６が“ＷＷＷ Ｇｅｔ”である処理指定情報５が格納されているか（ステップＳ２０３）、コマンド名６が“ＷＷＷ Ｐｏｓｔ”である処理指定情報５が格納されているか（ステップＳ２０６）、コマンド名６が“フォトアルバム”である処理指定情報５が格納されているか（ステップＳ２０９）、コマンド名６が“テレビコマンド”である処理指定情報５が格納されているか（ステップＳ２１２）、を順番に調べる例を示したが、この順番に限定されるものではない。
【０２０６】
（電子レンジ１２における処理の流れの概要）
次に、図１２を参照しながら、画像データを受信した電子レンジ１２が行なう処理の流れの概略について説明する。図１２は、画像データを受信した電子レンジ１２が行なう処理の流れの概略を示すフローチャートである。なお、図１２に示す処理の流れは一例であり、これに限定されるものではない。
【０２０７】
まず、画像データ受信部１４１が、無線通信部１６１を介して、操作装置２０としての携帯電話機２１から送信される画像データを受信すると、該受信した画像データを画像データ記憶部１５１に格納する（ステップＳ３０１）。
【０２０８】
そして、処理指定情報抽出部１４２が、上記格納された画像データに処理指定情報５が含まれているかを判定し、処理指定情報５が含まれていれば、処理指定情報５を抽出する。そして、該抽出した処理指定情報５のうち、電子レンジ１２にて実行可能な処理を指定するコマンド（“料理レシピ”など）を含む処理指定情報５のみを処理指定情報記憶部１５３に格納する（ステップＳ３０２）。
【０２０９】
次に、処理実行部１４５が、処理指定情報記憶部１５３に格納されている処理指定情報５に基づいて、各種処理を実行する。
【０２１０】
具体的には、コマンド名６が“料理レシピ”である処理指定情報５が処理指定情報記憶部１５３に格納されている場合（ステップＳ３０３にてＹＥＳ）、レシピ表示処理部１４４が、表示部１６３に表示した“料理レシピ”の処理指定情報５を、電子レンジ１２のユーザが選択し、調理指示を行なうと（ステップＳ３０４にてＹＥＳ）、電磁波制御部１４５１が、電子レンジ１２のユーザが選択している処理指定情報５のパラメータ７で指定されたレシピデータに従って、電磁波発生部１６６の動作を制御する。そして、電磁波発生部１６６は、高周波の電磁波を発生し、該発生した電磁波を食品等に照射することにより、電子レンジ１２が調理を行なう（ステップＳ３０５）。
【０２１１】
なお、コマンド名６が“料理レシピ”である処理指定情報５が処理指定情報記憶部１５３に格納されていない場合（ステップＳ３０３にてＮＯ）、および、電子レンジ１２のユーザが調理指示を行なわない場合（ステップＳ３０４にてＮＯ）、処理を終了する。
【０２１２】
（効果）
以上で述べたように、操作装置２０（携帯電話機２１）は、画像データ提供装置３０から取得した画像データを、複数の画像データ受信処理装置１０（ユーザ宅内のテレビ１１および電子レンジ１２）に送信する。そして、画像データを受信した画像データ受信処理装置１０は、該受信した画像データが処理指定情報５を含む場合、該受信した画像データから処理指定情報５を抽出し、該抽出した処理指定情報５で指定される処理が、自装置で実行可能か否かを判定し、自装置で実行可能な処理のみを実行する。
【０２１３】
このように、本発明に係る画像データ受信処理装置１０は、１または複数の処理指定情報５を含む操作用画像データ３を受信し、自装置で実行可能な処理のみを実行することができる。
【０２１４】
そのため、ユーザは、操作装置２０としての携帯電話機２１を用いて、複数の画像データ受信処理装置１０に対して、１または複数の処理指定情報５を含む１つの操作用画像データ３を１度送信するだけで、複数の画像データ受信処理装置１０に同時に処理を実行させることができる。例えば、ユーザは、テレビ１１および電子レンジ１２に向けて、テレビ１１および電子レンジ１２がそれぞれ実行すべき処理内容を指定した処理指定情報５を含む１つの操作用画像データ３を１度送信するだけで、テレビ１１および電子レンジ１２のそれぞれに処理を実行させることができる。
【０２１５】
言い換えれば、ユーザは、画像データ受信処理装置１０のそれぞれに対して、操作用画像データ３を送信するという操作を行なう必要がない。つまり、テレビ１１に対して、テレビ１１が実行すべき処理内容を指定した処理指定情報５を含む操作用画像データ３を送信する操作と、電子レンジ１２に対して、電子レンジ１２が実行すべき処理内容を指定した処理指定情報５を含む操作用画像データ３を送信する操作とを、それぞれ個別に行なう必要が無い。
【０２１６】
したがって、本発明によれば、画像データ受信処理装置１０を操作装置２０にて操作するユーザの操作性および利便性が向上する。
【０２１７】
さらに、画像データの配信サービスを行なうサービス事業者は、複数の処理指定情報５を１つにまとめた操作用画像データ３を作成し、該作成した１つの操作用画像データ３をユーザに提供すればよい。例えば、テレビ１１が実行すべき処理内容を指定した処理指定情報５と、電子レンジ１２が実行すべき処理内容を指定した処理指定情報５とを含む１つの操作用画像データ３を作成し、該作成した１つの操作用画像データ３を提供することができる。
【０２１８】
言い換えれば、画像データの配信サービスを行なうサービス事業者は、テレビ１１が実行すべき処理内容を指定した処理指定情報５を含む操作用画像データ３と、電子レンジ１２が実行すべき処理内容を指定した処理指定情報５を含む操作用画像データ３とを、それぞれ作成する必要がない。
【０２１９】
したがって、本発明によれば、サービス事業者は、操作用画像データ３の作成や管理の手間を省くことができる。
【０２２０】
〔実施の形態２〕
実施の形態１では、操作装置２０が、画像データ提供装置３０から取得した操作用画像データ３を、画像データ受信処理装置１０に提供する形態について説明したが、操作用画像データ３は、画像データ提供装置３０が管理および提供するものであることに限定されない。例えば、操作装置２０が所定の情報に基づいて操作用画像データ３を生成し、該生成した操作用画像データ３を画像データ受信処理装置に提供してもよい。
【０２２１】
そこで、本実施の形態では、テレビ番組を受信可能な操作装置を用いるユーザが、操作装置上でテレビ番組を選択し、該選択したテレビ番組の録画予約をレコーダおよびテレビに指示するにあたり、操作装置が、該選択したテレビ番組の録画予約を行なう旨などを処理指定情報５とした操作用画像データ３を生成し、該生成した操作用画像データ３を、画像データ受信処理装置としてのレコーダおよびテレビに提供するケースを例に挙げて説明する。
【０２２２】
本発明の一実施形態について図１３から図２０に基づいて説明すると以下の通りである。なお、説明の便宜上、実施の形態１にて示した各部材と同一の機能を有する部材には、同一の符号を付記し、その説明を省略する。また、実施の形態１にて説明した処理と同一に処理については、その説明を省略する。
【０２２３】
（データ処理システム９１０の構成）
図１３を参照しながら、本実施の形態に係るデータ処理システム９１０の基本構成について説明する。図１３は、操作装置２０ｂと画像データ受信処理装置１０とを含むデータ処理システム９１０の装置構成、および、各装置間で送信される情報の流れを示す模式図である。
【０２２４】
（操作装置２０ｂ）
操作装置２０ｂは、実施の形態１で示した操作装置２０と同様に、画像データ受信処理装置１０を操作する装置である。しかしながら、実施の形態１で示した操作装置２０とは異なり、操作装置２０ｂは、所定の情報（例えば、テレビ番組情報など）に基づいて、処理指定情報５を含む操作用画像データ３を生成する。そして、操作装置２０ｂは、ユーザ操作などをトリガとして、例えば無線通信５００にて、上記生成した操作用画像データ３を、１または複数の画像データ受信処理装置１０に送信する。なお、上記所定の情報は、図示しない外部サーバから取得したり、ユーザにより入力されるものとする。
【０２２５】
操作装置２０ｂとしては、実施の形態１で示した操作装置２０と同様に、例えば、携帯電話機、ＰＤＡ、ＰＨＳ、ノート型ＰＣなどが挙げられる。本実施の形態では、操作装置２０ｂとして、特に、携帯電話機２１ｂを挙げて説明する。したがって、携帯電話機２１ｂは、他の携帯電話機との間で音声通話を行なうなどといった携帯電話としての基本機能の他に、少なくとも、操作用画像データ３を生成する画像データ生成機能、および、生成した画像データを送信する画像データ送信機能を有している。なお、携帯電話機２１ｂは、通常、画像データ受信処理装置１０の近傍にいるユーザが所有するものであることが想定される。
【０２２６】
（画像データ受信処理装置１０）
次に、画像データ受信処理装置１０は、本実施の形態では、操作装置２０ｂから受信した画像データに応じて各種処理を実行するものである。なお、本実施の形態の画像データ受信処理装置１０は、操作装置２０に代えてデータを操作装置２０ｂから画像データを受信することを除き、実施の形態１で述べた画像データ受信処理装置１０と同様であるので、ここではその説明を省略する。
【０２２７】
本実施の形態では、画像データ受信処理装置１０として、特に、テレビ１１およびレコーダ１３を例に挙げて説明する。したがって、レコーダ１３は、テレビ番組などの録画や再生といったレコーダとしての基本機能のほかに、少なくとも、画像データを受信する画像データ受信機能を有している。なお、テレビ１１およびレコーダ１３は、通常、ユーザの宅内に設置されることが想定される。
【０２２８】
また、テレビ１１の入力端子とレコーダ１３の出力端子とは、それぞれ接続ケーブル７００で接続されており、接続ケーブル７００を介して、レコーダ１３で再生される映像の信号や、録画に関する情報がテレビ１１に送信され、テレビ１１の表示部に表示可能であるものとする。なお、ここでは、テレビ１１の外部入力端子Ｎ１に接続ケーブル７００が接続されているものとする。
【０２２９】
（装置間の通信）
本実施の形態では、画像データ受信処理装置１０としてのテレビ１１およびレコーダ１３が、操作装置２０ｂとしての携帯電話機２１ｂから、赤外線通信プロトコル（たとえばＩｒＳＳ）にて画像データを受信可能であることを想定して説明する。そして、図１３に示すように、テレビ１１およびレコーダ１３は、例えば、ユーザ宅内の居間などに並べて配置されているものとする。
【０２３０】
この場合、携帯電話機２１ｂと、テレビ１１およびレコーダ１３とが、ＩｒＳＳプロトコルにて通信可能な位置にあれば、テレビ１１およびレコーダ１３のいずれもが、携帯電話機２１ｂから一度に送信される画像データを同じタイミングで受信することが可能である。そして、テレビ１１およびレコーダ１３は、それぞれ、該受信した画像データに処理指定情報５が含まれる場合、処理指定情報５を抽出し、自装置で実行可能な処理のみを実行する。
【０２３１】
（携帯電話機２１ｂの構成）
次に、図１４を参照しながら、操作装置２０ｂとしての携帯電話機２１ｂの概略構成について説明する。図１４は、携帯電話機２１ｂの概略構成を示すブロック図である。なお、図１４に示す構成は一例であり、操作装置２０ｂの構成が、図１４に示す構成に限定されるものではない。
【０２３２】
図１４に示すように携帯電話機２１ｂは、制御部５１０、記憶部５２０、第１通信部２３１、第２通信部２３２、表示部２３３、および入力操作部２３４を含んで構成される。
【０２３３】
制御部５１０は、記憶部５２０、第１通信部２３１、第２通信部２３２、表示部２３３、および入力操作部２３４の制御を行なうとともに、所定の演算処理を行なうものである。所定の演算処理としては、例えば、図示しない外部サーバからの番組情報の取得処理などがある。制御部５１０は、例えばＣＰＵ等で構成することができる。制御部５１０の詳細な構成については後述する。
【０２３４】
記憶部５２０は、制御部５１０で利用される各種データ、プログラムの実行によって得られたデータなどを記憶するものであり、ＲＡＭなどの揮発性メモリおよび、ＲＯＭやフラッシュメモリなどの不揮発性メモリで実現される。上記各種データは、記憶部５２０内部の各種記憶部に記憶される。記憶部５２０は、番組情報記憶部５２１、機器接続情報記憶部５２２、および画像データ雛形記憶部５２３を含んでいる。
【０２３５】
番組情報記憶部５２１は、テレビ放送の番組情報を読み出し可能な状態で記憶するものである。番組情報のデータフォーマットは特に限定されるものではなく、例えば、番組情報を記述したＨＴＭＬ（Hypertext Markup Language）データをそのまま記憶してもよい。
【０２３６】
機器接続情報記憶部５２２は、テレビ１１と、テレビ１１と接続される外部機器との接続情報を読み出し可能な状態で記憶するものである。上記接続情報とは、具体的には、テレビ１１の外部入力端子と、当該外部入力端子に接続されている外部機器との組（言い換えれば、テレビ１１の外部入力と外部機器との組）である。
【０２３７】
画像データ雛形記憶部５２３は、画像データの雛形を読み出し可能な状態で記憶するものである。画像データの雛形とは、画像データ受信処理装置１０にする操作用画像データ３を生成するためにテンプレートとして用いる画像データである。画像データの雛形は、後述する画像データ生成部５１４が、処理指定情報５を埋め込んで画像データを生成するために用いられる。したがって、画像データの雛形は、処理指定情報５以外の領域については、予めデータが設定されていることが望ましい。
【０２３８】
なお、記憶部５２０は、必ずしも携帯電話機２１ｂに備えられる必要はなく、外部記憶装置として、読み取り可能な状態で携帯電話機２１ｂに接続される構成であってもよい。また、ＳＤカードのような、携帯電話機２１ｂに着脱可能なメモリ（メモリカード）であってもよい。
【０２３９】
第１通信部２３１および第２通信部２３２は、それぞれ実施の形態１で述べた機能を備えるものである。なお、第２通信部２３２は、テレビ１１の無線通信部１３１およびレコーダ１３の無線通信部１９１（後述）と通信可能に構成されている。
【０２４０】
表示部２３３は、制御部５１０の指示に基づいて画像データなどを表示する表示装置である。表示部２３３は上述したように、ＬＣ表示パネル、ＥＬ表示パネル、ＣＲＴ表示装置等である。
【０２４１】
入力操作部２３４は、携帯電話機２１ｂのユーザの入力操作を受けつけ、入力操作に応じた制御信号をイベント処理部５１２（後述）に送信する。入力操作部２３４は、例えば、操作キー、スイッチ、タッチパネルなどの入力デバイスで構成される。入力操作部２３４は、携帯電話機２１ｂのユーザの入力操作に応じた制御信号を生成し、該生成した制御信号を、イベント処理部５１２へ送信する。
【０２４２】
携帯電話機２１ｂのユーザの入力操作としては、表示部２３３に表示された電子番組情報に基づいて録画予約する番組を選択する操作、該選択した番組を録画予約する指示を、画像データ受信処理装置１０へ送信する操作などがある。したがって、上記生成される制御信号としては、電子番組情報に基づいて録画予約する番組を選択する旨の信号、該選択した番組を録画予約する指示を、画像データ受信処理装置１０へ送信する旨の信号などがある。
【０２４３】
次に、制御部５１０について詳細に説明する。制御部５１０は、番組情報取得部５１１、イベント処理部５１２、録画予約処理部５１３、画像データ生成部５１４、および画像データ送信部５１５を含んでいる。
【０２４４】
まず、番組情報取得部５１１について説明する。番組情報取得部５１１は、テレビ放送の番組情報を提供する外部サーバ（図示せず）から、第１通信部２３１を介して、テレビ放送の番組情報を取得する。番組情報は、外部サーバから自動的に配信されてもよいし、携帯電話機２１ｂのユーザが外部サーバにアクセスしてダウンロードしてもよいが、特に限定されるものではない。また、テレビ放送の番組情報のデータフォーマットは特に限定されるものではなく、例えば、ＨＴＭＬデータであってもよい。そして、番組情報取得部５１１は、取得した番組情報を番組情報記憶部５２１に格納する。
【０２４５】
なお、本実施の形態では、番組情報を提供する上記外部サーバから番組情報を取得する形態を想定しているが、携帯電話機２１のユーザが、入力操作部２３４を用いて、番組情報（番組の放送日、番組の開始時刻、番組の終了時刻、番組の放送チャンネルなどの組）を直接入力してもよい。その際は、番組情報取得部５１１は必ずしも備えていなくてよい。
【０２４６】
次に、イベント処理部５１２について説明する。イベント処理部５１２は、携帯電話機２１ｂのユーザの入力操作によって入力操作部２３４から送信される制御信号を受信し、該受信した制御信号の内容に応じて、各部に指示を行なう。
【０２４７】
特に、上記制御信号が、電子番組情報に基づいて録画予約する番組を選択する旨の信号であれば、その旨の指示を、その旨の信号を録画予約処理部５１３に送る。また、上記制御信号が、選択した番組を録画予約する指示を画像データ受信処理装置１０へ送信する旨の信号であれば、その旨の信号を画像データ生成部５１４に送る。
【０２４８】
次に、録画予約処理部５１３について説明する。録画予約処理部５１３は、イベント処理部５１２からの指示に応じて、番組情報記憶部５２１に格納されている番組情報を取得し、携帯電話機２１ｂのユーザが番組を選択可能なように、表示部２３３に表示する。例えば、番組情報記憶部５２１に格納されている番組情報に基づいて、ユーザが番組を選択可能な電子番組表を表示部２３３に表示する。
【０２４９】
また、携帯電話機２１ｂのユーザが、表示部２３３に表示された電子番組表などから番組を選択する操作を行った場合、録画予約処理部５１３は、該選択した番組を録画予約するか否かをユーザに確認する画面を、表示部２３３に表示する。
【０２５０】
さらに、録画予約処理部５１３は、機器接続情報記憶部５２２に格納されている、テレビ１１と、テレビ１１と接続されている外部機器との接続情報に基づいて、録画予約するにあたってテレビ１１がどの外部入力に切り替える必要があるかを、表示部２３３に表示する。例えば、録画予約に関する処理を行なう外部機器がレコーダ１３である場合、録画予約するにあたってテレビ１１は外部入力Ｎ１に切り替える必要があることを表示する。なお、テレビ１１の外部入力を切り替える理由は、外部機器での録画予約の状況（録画予約された番組の一覧など）をテレビ１１の表示部に表示させて、ユーザに確認させるためである。
【０２５１】
次に、画像データ生成部５１４について説明する。画像データ生成部５１４は、画像データ生成部５１４は、イベント処理部５１２からの指示に応じて、携帯電話機２１ｂのユーザが選択している番組の録画予約に関する処理をテレビ１１およびレコーダ１３に行なわせるための、操作用画像データ３を生成する。
【０２５２】
具体的には、レコーダ１３に、携帯電話機２１ｂのユーザが選択している番組を録画予約する処理を行なわせ、かつ、テレビ１１の外部入力を外部入力Ｎ１に切り替える処理を行なわせるための、操作用画像データ３を生成する。
【０２５３】
そのために、まず、画像データ生成部５１４は、レコーダ１３向けのコマンドを含む処理指定情報５、および、テレビ１１向けのコマンドを含む処理指定情報５を生成する。より具体的には、レコーダ１３向けの処理指定情報５として、コマンド名６が“レコーダコマンド”であり、パラメータ７が、ユーザが選択している番組の録画予約に関する情報（録画予約する番組の放送日、録画予約する番組の開始時刻、録画予約する番組の終了時刻、録画予約する番組の放送チャンネルなどの組）であるものを生成する。また、テレビ１１向けの処理指定情報５として、コマンド名６が“テレビコマンド”であり、パラメータ７が、外部入力Ｎ１に切り替える旨であるものを生成する。
【０２５４】
そして、画像データ生成部５１４は、画像データ雛形記憶部５２３に格納されている画像データの雛形を取得し、該取得した雛形のメーカノート領域６２１に、上記生成した、レコーダ１３向けのコマンドを含む処理指定情報５、および、テレビ１１向けのコマンドを含む処理指定情報５をそれぞれ埋め込むことにより、操作用画像データ３を生成する。なお、該生成した操作用画像データ３の具体例については、後述する。
【０２５５】
次に、画像データ送信部５１５について説明する。画像データ送信部５１５は、画像データ生成部５１４が生成した操作用画像データ３を、第２通信部２３２を介して、画像データ受信処理装置１０へ送信する。
【０２５６】
なお、携帯電話機２１ｂは、上記機能の他、携帯電話機が一般的に備える機能（音声通話機能、メール送受信機能、インターネットアクセス機能など）を備えているものとする。
【０２５７】
（画像データ生成部５１４が生成する操作用画像データ３の例）
次に、図１５を参照しながら、画像データ生成部５１４が生成する操作用画像データ３の一例について説明する。図１５は、画像データ生成部５１４が生成する操作用画像データ３の一例を示した模式図である。画像データ生成部５１４が生成する操作用画像データ３のデータ構造は、実施の形態１で説明した画像データのデータ構造と同一である。
【０２５８】
図１５に示す操作用画像データ３は、画像データ生成部５１４によって、メーカノート領域６２１に、２つの処理指定情報５（処理指定情報５Ｅおよび処理指定情報５Ｆ）が埋め込まれている。
【０２５９】
処理指定情報５Ｅは、テレビ１１向けのコマンドを含む処理指定情報５であり、コマンド名６として“テレビコマンド”が設定されており、また、パラメータ７として、外部入力を外部入力Ｎ１に切り替える旨が設定されている。
【０２６０】
また、処理指定情報５Ｆは、レコーダ１３向けのコマンドを含む処理指定情報５であり、コマンド名６として“レコーダコマンド”が設定されており、また、パラメータ７として、毎日７時から８時に２チャンネルで放送されている番組を録画予約する旨が設定されている。
【０２６１】
したがって、図１５に示す操作用画像データ３を受信したテレビ１１は、処理指定情報５Ｅに含まれる“テレビコマンド”に従って、外部入力の切り替えを行なう。一方、図１５に示す操作用画像データ３を受信したレコーダ１３は、処理指定情報５Ｆに含まれる“レコーダコマンド”に従って、録画予約を行なう。
【０２６２】
（テレビ１１の構成）
テレビ１１の構成は、実施の形態１にて図１を用いて説明した構成と同一であるので、ここではその説明を省略する。
【０２６３】
（レコーダ１３の構成）
次に、図１６を参照しながら、画像データ受信処理装置１０としてのレコーダ１３の概略構成について説明する。図１６は、レコーダ１３の概略構成を示すブロック図である。なお、図１６に示す構成は一例であり、画像データ受信処理装置１０の構成が、図１６に示す構成に限定されるものではない。
【０２６４】
図１６に示すようにレコーダ１３は、制御部１７０、記憶部１８０、無線通信部１９１、および外部出力部１９７を含んで構成される。
【０２６５】
制御部１７０は、記憶部１８０、無線通信部１９１、および外部出力部１９７の制御を行なうとともに、所定の演算処理を行なうものである。所定の演算処理としては、例えば、操作装置２０ｂとしての携帯電話機２１ｂから送信される画像データの受信処理などがある。制御部１７０は、例えばＣＰＵ等で構成することができる。制御部１７０の詳細な構成については後述する。
【０２６６】
記憶部１８０は、制御部１７０で利用される各種データ、プログラムの実行によって得られたデータなどを記憶するものであり、ＲＡＭなどの揮発性メモリおよび、ＲＯＭやフラッシュメモリなどの不揮発性メモリで実現される。上記各種データは、記憶部１８０内部の各種記憶部に記憶される。記憶部１８０は、画像データ記憶部１８１、実行可能処理記憶部１８２、処理指定情報記憶部１８３、および録画予約情報記憶部１８４を含んでいる。
【０２６７】
画像データ記憶部１８１は、操作装置２０ｂから送信された画像データを読み出し可能な状態で記憶するものである。
【０２６８】
実行可能処理記憶部１８２は、レコーダ１３が実行可能な処理を指定するコマンドを識別可能な情報を記憶するものである。例えば、レコーダ１３が実行可能な処理を指定するコマンドのコマンド名６のリストを記憶する。実行可能処理記憶部１８２に記憶される情報は、工場出荷時などの時点で予め設定されていてもよいし、レコーダ１３のユーザが図示しない入力操作部を用いて設定可能になっていてもよい。
【０２６９】
処理指定情報記憶部１８３は、操作装置２０ｂから送信された画像データに処理指定情報５が含まれる場合、その処理指定情報５のうち、レコーダ１３が実行可能な処理を指定する処理指定情報５を記憶するものである。
【０２７０】
録画予約情報記憶部１８４は、テレビ番組の録画予約に関する情報を管理するものである。例えば、録画予約する番組の放送日、録画予約する番組の開始時刻、録画予約する番組の終了時刻、録画予約する番組の放送チャンネルなどの組を管理する。録画予約情報記憶部１８４で管理されている情報に基づいて、レコーダ１３は録画を実行する。
【０２７１】
録画予約情報記憶部１８４に記憶される情報は、後述する録画予約処理部１７５１によって格納されてもよいし、レコーダ１３のユーザが図示しない入力操作部を用いて設定してもよい。
【０２７２】
なお、記憶部１８０は、必ずしもレコーダ１３に備えられる必要はなく、外部記憶装置として、読み取り可能な状態でレコーダ１３に接続される構成であってもよい。また、ＳＤカードのような、レコーダ１３に着脱可能なメモリ（メモリカード）であってもよい。
【０２７３】
無線通信部１９１は、レコーダ１３が、操作装置２０ｂとしての携帯電話機２１ｂと通信を行なうためのものである。無線通信部１９１は、携帯電話機２１ｂの第２通信部２３２と通信可能に構成されている。したがって、携帯電話機２１ｂとレコーダ１３とは、第２通信部２３２と無線通信部１９１とで形成される通信路を用いて通信を行なうことができるようになっており、無線通信部１９１は、ＩｒＳＳプロトコルによる赤外線通信にて信号の受信を行なうことのできる通信部である。
【０２７４】
外部出力部１９７は、接続ケーブル７００を介して、テレビ１１などの外部機器と通信可能に構成されている。そして、接続ケーブル７００を介して、外部機器に対してレコーダ１３の出力データを送信する。例えば、映像再生時に映像信号を出力したり、録画予約時に録画予約の状況を出力する。
【０２７５】
次に、制御部１７０について詳細に説明する。制御部１７０は、画像データ受信部（処理指定情報取得手段）１７１、処理指定情報抽出部１７２（処理指定情報取得手段、処理指定情報抽出手段）および処理実行部（処理実行手段）１７５を含んでいる。
【０２７６】
まず、画像データ受信部１７１について説明する。画像データ受信部１７１は、無線通信部１９１を介して、操作装置２０ｂとしての携帯電話機２１ｂから送信される操作用画像データ３を受信する。そして、画像データ受信部１７１は、受信した操作用画像データ３を画像データ記憶部１８１に格納する。
【０２７７】
次に、処理指定情報抽出部１７２について説明する。処理指定情報抽出部１７２は、画像データ受信部１７１が操作用画像データ３を画像データ記憶部１８１に格納したことをトリガとして、該格納された操作用画像データ３に処理指定情報５が含まれているかを判定し、処理指定情報５が含まれていれば、処理指定情報５を抽出する。
【０２７８】
そして、処理指定情報抽出部１７２は、該抽出した処理指定情報５のうち、レコーダ１３にて実行可能な処理を指定するコマンド（“レコーダコマンド”など）を含む処理指定情報５のみを処理指定情報記憶部１８３に格納する。
【０２７９】
このとき、処理指定情報抽出部１７２は、実行可能処理記憶部１８２に格納されている、レコーダ１３が実行可能な処理を指定するコマンドを識別可能な情報に基づいて、上記抽出した処理指定情報５のうち、レコーダ１３にて実行可能な処理を指定する処理指定情報５がいずれであるかを判別する。例えば、実行可能処理記憶部１８２に、レコーダ１３が実行可能なコマンドのコマンド名６のリストが記憶されている場合、上記抽出した処理指定情報５のうち、該リストに含まれるコマンド名６を有する処理指定情報５を、処理指定情報記憶部１８３に格納する。
【０２８０】
次に、処理実行部１７５について説明する。処理実行部１７５は、処理指定情報抽出部１７２の処理が終了したことをトリガとして、処理指定情報記憶部１８３に格納されている処理指定情報５に基づいて、各種処理を実行する。処理実行部１７５は、録画予約処理部１７５１を含んでいる。
【０２８１】
録画予約処理部１７５１は、処理指定情報記憶部１８３に格納されている処理指定情報５のパラメータ７で指定された録画予約に関する情報（録画予約する番組の放送日、録画予約する番組の開始時刻、録画予約する番組の終了時刻、録画予約する番組の放送チャンネルなどの組）に従って、録画予約情報記憶部１８４を更新する。
【０２８２】
なお、録画予約処理部１７５１は、録画予約の状況（録画予約された番組の一覧など）を、テレビ１１の表示部１３３に表示させるために、外部出力部１９７を介して、テレビ１１に出力する。テレビ１１の表示部１３３に録画予約の状況を表示する様子については、図を用いて後述する。
【０２８３】
さらに、処理指定情報５のパラメータ７で指定された録画予約に関する情報に基づいて録画予約をすることが適切でないと判断したとき（例えば、パラメータ７で指定された録画予約に関する情報が、毎日７時から８時まで２チャンネルで放送される番組を録画予約する旨であり、かつ、録画予約情報記憶部１８４に、明日７時半から８時まで８チャンネルで放送される番組を録画予約する旨の情報がすでに格納されているというように、録画予約済みの時間帯に重複して新たな録画予約を行なおうとする場合等）、録画予約処理部１７５１は、その旨をテレビ１１の表示部１３３に表示させるために、外部出力部１９７を介して、テレビ１１にエラーメッセージを出力する。テレビ１１の表示部１３３にエラーメッセージを表示する様子については、図を用いて後述する。
【０２８４】
（携帯電話機２１ｂにおける処理の流れの概要）
次に、図１７を参照しながら、携帯電話機２１ｂが、テレビ放送の番組情報を提供する外部サーバから受信した番組情報に基づいて生成した操作用画像データ３を、画像データ受信処理装置１０に送信する流れの概略について説明する。図１７は、携帯電話機２１ｂが、番組情報に基づいて生成した操作用画像データ３を、画像データ受信処理装置１０に送信する流れの概略を示すフローチャートである。なお、図１７に示す処理の流れは一例であり、これに限定されるものではない。
【０２８５】
まず、携帯電話機２１ｂの番組情報取得部５１１が、テレビ放送の番組情報を提供する外部サーバ（図示せず）から、第１通信部２３１を介して、テレビ放送の番組情報を取得し、該取得した番組情報を番組情報記憶部５２１に格納する（ステップＳ４０１）。番組情報は、上述したように、外部サーバから自動的に配信されてもよいし、携帯電話機２１ｂのユーザが外部サーバにアクセスしてダウンロードしてもよいが、特に限定されるものではない。
【０２８６】
そして、携帯電話機２１ｂのユーザが、番組情報を表示させる操作を行なうと、入力操作部２３４から送信される制御信号を受信したイベント処理部５１２が、録画予約処理部５１３に指示を送る。そして、録画予約処理部５１３が、番組情報記憶部５２１に格納されている番組情報を取得し、携帯電話機２１ｂのユーザが番組を選択可能な電子番組表を表示部２３３に表示する（ステップＳ４０２）。
【０２８７】
そして、携帯電話機２１ｂのユーザが電子番組表から番組を選択すると、録画予約処理部５１３は、該選択した番組で録画予約するか否かをユーザに確認する画面を、表示部２３３に表示する（ステップＳ４０３）併せて、録画予約するにあたってテレビ１１は外部入力Ｎ１に切り替える必要があることを表示する。そして、該選択した番組で録画予約する旨の操作を行なうと（ステップＳ４０４にてＹＥＳ）、画像データ生成部５１４は、レコーダ１３向けの処理指定情報５として、コマンド名６が“レコーダコマンド”であり、パラメータ７が、ユーザが選択している番組の録画予約に関する情報（録画予約する番組の放送日、録画予約する番組の開始時刻、録画予約する番組の終了時刻、録画予約する番組の放送チャンネルなどの組）であるものを生成する。また、テレビ１１向けの処理指定情報５として、コマンド名６が“テレビコマンド”であり、パラメータ７が、外部入力Ｎ１に切り替える旨であるものを生成する（ステップＳ４０５）。
【０２８８】
そして、画像データ生成部５１４は、画像データ雛形記憶部５２３に格納されている画像データの雛形を取得し、該取得した雛形のメーカノート領域６２１に、上記生成した、レコーダ１３向けのコマンドを含む処理指定情報５、および、テレビ１１向けのコマンドを含む処理指定情報５をそれぞれ埋め込むことにより、操作用画像データ３を生成する（ステップＳ４０６）。
【０２８９】
そして、画像データ送信部５１５は、画像データ生成部５１４が生成した操作用画像データ３を、第２通信部２３２を介して、画像データ受信処理装置１０へ送信する（ステップＳ１０７）。なお、画像データ受信処理装置１０への操作用画像データ３の送信が何らかの原因で成功しなかった等により、ユーザが上記操作用画像データ３を再送信する旨を指示した場合（ステップＳ４０８にてＹＥＳ）、再びステップＳ４０７に戻る。
【０２９０】
（テレビ１１における処理の流れの概要）
携帯電話機２１ｂから送信される操作用画像データ３を受信したテレビ１１が行なう処理の流れについては、実施の形態１にて図１１で示したフローチャートを用いて説明した処理の流れと同様である。ここで、本実施の形態では、コマンド名６が“テレビコマンド”であり、パラメータ７が、外部入力を切り替える旨である処理指定情報５をメーカノート領域６２１に含む操作用画像データ３が、携帯電話機２１ｂから送信されるので、図１１で示したフローチャートのステップＳ２１２およびステップＳ２１３における処理について、再度説明する。
【０２９１】
本実施の形態の場合、コマンド名６が“テレビコマンド”である処理指定情報５が処理指定情報記憶部１２３に格納されている（ステップＳ２１２にてＹＥＳ）。そして、処理指定情報５のパラメータ７で指定された情報が、テレビ１１の外部入力を切り替える旨であるので、テレビコマンド処理部１１５３は、外部入力部１３７に対して、パラメータ７で指定された情報に基づいて、外部入力を切り替える旨を指示する。そして、外部入力部１３７は、上記指示に応じて、外部入力を切り替える（ステップＳ２１３）。
【０２９２】
（レコーダ１３における処理の流れの概要）
次に、図１８を参照しながら、携帯電話機２１ｂから送信される操作用画像データ３を受信したレコーダ１３が行なう処理の流れの概略について説明する。図１８は、携帯電話機２１ｂから送信される操作用画像データ３を受信したレコーダ１３が行なう処理の流れの概略を示すフローチャートである。なお、図１８に示す処理の流れは一例であり、これに限定されるものではない。
【０２９３】
まず、画像データ受信部１７１が、無線通信部１９１を介して、操作装置２０ｂとしての携帯電話機２１ｂから送信される操作用画像データ３を受信すると、該受信した操作用画像データ３を画像データ記憶部１８１に格納する（ステップＳ５０１）。
【０２９４】
そして、処理指定情報抽出部１７２が、上記格納された操作用画像データ３に処理指定情報５が含まれているかを判定し、処理指定情報５が含まれていれば、処理指定情報５を抽出する。そして、該抽出した処理指定情報５のうち、レコーダ１３にて実行可能なコマンド（“レコーダコマンド”など）を含む処理指定情報５のみを処理指定情報記憶部１８３に格納する（ステップＳ５０２）。
【０２９５】
次に、処理実行部１７５が、処理指定情報記憶部１８３に格納されている処理指定情報５に基づいて、各種処理を実行する。
【０２９６】
具体的には、コマンド名６が“レコーダコマンド”である処理指定情報５が処理指定情報記憶部１８３に格納されている場合（ステップＳ５０３にてＹＥＳ）、録画予約処理部１７５１が、処理指定情報５のパラメータ７で指定された録画予約に関する情報（録画予約する番組の放送日、録画予約する番組の開始時刻、録画予約する番組の終了時刻、録画予約する番組の放送チャンネルなどの組）に従って、録画予約情報記憶部１８４を更新する（ステップＳ５０４）。なお、このとき、録画予約処理部１７５１は、録画予約の状況（録画予約された番組の一覧など）を、テレビ１１の表示部１３３に表示させるために、テレビ１１に出力する。また、録画予約をすることができない場合は、ユーザにその旨をテレビ１１の表示部１３３に表示させるために、テレビ１１にエラーメッセージを出力する。
【０２９７】
（画面例）
次に、図１９を参照しながら、携帯電話機２１ｂの録画予約処理部５１３が表示部２３３に表示する画面例について説明する。図１９は、携帯電話機２１ｂの録画予約処理部５１３が表示部２３３に表示する画面例を模式的に示す図である。
【０２９８】
図１９に示すように、録画予約処理部５１３は、ユーザが選択した番組を録画予約するか否かを確認する画面を表示部２３３に表示する。この例では、毎日７時から８時に２チャンネルで放送される番組を録画予約するか否かを表示領域Ｒ１に表示している。
【０２９９】
また、図１９に示すように、録画予約処理部５１３は、録画予約するにあたってテレビ１１がどの外部入力に切り替える必要があるかを、表示部２３３に表示する。この例では、を外部入力Ｎ１に切り替える必要がある旨を表示領域Ｒ２に表示している。
【０３００】
なお、表示部２３３下部の送信ボタンＢ１をユーザが操作すると、画像データ生成部５１４が操作用画像データ３を生成し、さらに、画像データ送信部５１５が、該生成した操作用画像データ３を画像データ受信処理装置１０へ送信する。なお、この例において、上記生成される操作用画像データ３は、図１５で示した操作用画像データ３である。
【０３０１】
また、繰返ボタンＢ２をユーザが操作すると、画像データ送信部５１５が、上記生成した操作用画像データ３を画像データ受信処理装置１０へ送信する。
【０３０２】
また、取消ボタンＢ３をユーザが操作すると、ユーザが選択した番組の録画予約をキャンセルする。
【０３０３】
次に、図２０を参照しながら、レコーダ１３の録画予約処理部１７５１が、録画予約の状況、および、録画予約できない旨のエラーメッセージをテレビ１１の表示部１３３に出力する画面例について説明する。図２０は、レコーダ１３の録画予約処理部１７５１が、録画予約の状況、および、録画予約できない旨のエラーメッセージをテレビ１１の表示部１３３に出力する画面例を模式的に示す図である。
【０３０４】
なお、前提として、１）ユーザが、図１９に示した画面において、送信ボタンＢ１を操作したものとする。つまり、図１５で示した操作用画像データ３がテレビ１１およびレコーダ１３に送信されたものとする。２）また、すでに、レコーダ１３の録画予約情報記憶部１８４に、６月１日の７時半から８時に８チャンネルで放送される番組の録画予約に関する情報が格納されているものとする。
【０３０５】
図示のように、録画予約処理部１７５１は、録画予約の状況をテレビ１１の表示部１３３の表示領域Ｒ３に出力している。この例では、録画予約の状況として、６月１日の７時半から８時に８チャンネルで放送される番組が録画予約済みであることを出力している。
【０３０６】
さらに、図示のように、録画予約処理部１７５１は、エラーメッセージをテレビ１１の表示部１３３の表示領域Ｒ４に出力している。この例では、エラーメッセージとして、録画予約した時間帯が重複している旨のメッセージを出力している。つまり、図１５で示した操作用画像データ３（すなわち、毎日７時から８時まで２チャンネルで放送される番組を録画予約する旨のパラメータ７を有する処理指定情報５を含む操作用画像データ３）がレコーダ１３に送信されたものの、６月１日の７時半から８時に８チャンネルで放送される番組がすでに録画予約されているため、録画予約した時間帯が重複していることを、ユーザに示している。
【０３０７】
（効果）
以上で述べたように、ユーザは、操作装置２０ｂ（携帯電話機２１ｂ）から、複数の画像データ受信処理装置１０（ユーザ宅内のテレビ１１およびレコーダ１３）に対して、操作用画像データ３を送信する。
【０３０８】
そして、画像データ受信処理装置１０は、該受信した操作用画像データ３から処理指定情報５を抽出し、該抽出した処理指定情報５で指定される処理が、自装置で実行可能か否かを判定し、自装置で実行可能な処理のみを実行する。
【０３０９】
そのため、ユーザは、操作装置２０ｂとしての携帯電話機２１ｂを用いて、複数の画像データ受信処理装置１０に対して、１または複数の処理指定情報５を含む操作用画像データ３を１度送信するだけで、関連する複数の画像データ受信処理装置１０を同時に操作することができる。特に、本実施の形態によれば、ユーザがテレビ番組を録画予約するにあたり、テレビ１１およびレコーダ１３に向けて、テレビ１１およびレコーダ１３がそれぞれ実行すべき処理内容を指定した処理指定情報５を含む１つの操作用画像データ３を１度送信するだけで、レコーダ１３には録画予約を行なわせ、かつ、テレビ１１には外部入力の切り替えを行なわせることができる。
【０３１０】
言い換えれば、ユーザは、画像データ受信処理装置１０のそれぞれに対して、適切な操作用画像データ３を送信するという操作を必要としない。つまり、テレビ１１に対して、テレビ１１が実行すべき処理内容を指定した処理指定情報５を含む操作用画像データ３を送信する操作と、レコーダ１３に対して、レコーダ１３が実行すべき処理内容を指定した処理指定情報５を含む操作用画像データ３を送信する操作とを、それぞれ個別に行なう必要が無い。
【０３１１】
したがって、本発明によれば、画像データ受信処理装置１０を操作装置２０ｂにて操作するユーザの操作性および利便性が向上する。
【０３１２】
〔実施の形態３〕
上述の実施の形態では、画像データを受信した画像データ受信処理装置１０は、自装置の状態に関わらず、該受信した画像データに応じた処理を実行する形態について説明したが、画像データ受信処理装置１０は、画像データを受信した後、自装置のモードに応じた処理を実行してもよい。
【０３１３】
そこで、本実施の形態では、画像データを受信する画像データ受信処理装置としてのテレビが、自装置のモードとしての表示モードに応じた処理を実行するケースを例に挙げて説明する。
【０３１４】
本発明の一実施形態について図２１から図２７に基づいて説明すると以下の通りである。なお、説明の便宜上、実施の形態１および実施の形態２にて示した各部材と同一の機能を有する部材には、同一の符号を付記し、その説明を省略する。また、実施の形態１および実施の形態２にて説明した処理と同一に処理については、その説明を省略する。
【０３１５】
なお、本実施の形態に係る操作装置、画像データ提供装置、データ処理システムは、実施の形態１にて説明した操作装置２０、画像データ提供装置３０、データ処理システム９００と同様であるので、ここではその説明を省略する。
【０３１６】
そして、本実施の形態に係る画像データ受信処理装置として、特に、テレビ１１ｂを例に挙げて説明する。したがって、テレビ１１ｂは、操作装置２０としての携帯電話機２１から画像データを受信し、該受信した画像データが処理指定情報５を含む場合、該受信した画像データに含まれる処理指定情報５を抽出し、該抽出した処理指定情報５に応じた処理を実行する。なお、実施の形態１のテレビ１１と同様に、テレビ１１ｂは、インターネットなどの通信ネットワーク８００を介して、ＨＴＴＰサーバ９０およびフォトアルバムサーバ９１と接続されているものとする。
【０３１７】
（テレビ１１ｂの構成）
図２１を参照しながら、テレビ１１ｂの概略構成について説明する。図２１は、テレビ１１ｂの概略構成を示すブロック図である。なお、図２１に示す構成は一例であり、テレビ１１ｂの構成が、図２１に示す構成に限定されるものではない。
【０３１８】
図２１に示すようにテレビ１１ｂは、制御部１１０ｂ、記憶部１２０ｂ、無線通信部１３１、外部通信部１３２、表示部１３３、入力操作部１３４、放送データ受信部１３５、および外部入力部１３７を含んで構成される。
【０３１９】
制御部１１０ｂは、記憶部１２０ｂ、無線通信部１３１、外部通信部１３２、表示部１３３、入力操作部１３４、放送データ受信部１３５、および外部入力部１３７の制御を行なうとともに、所定の演算処理を行なうものである。所定の演算処理としては、例えば、携帯電話機２１から送信される画像データの受信処理などがある。制御部１１０ｂは、例えばＣＰＵ等で構成することができる。制御部１１０ｂの詳細な構成については後述する。
【０３２０】
記憶部１２０ｂは、制御部１１０ｂで利用される各種データ、プログラムの実行によって得られたデータなどを記憶するものであり、ＲＡＭなどの揮発性メモリおよび、ＲＯＭやフラッシュメモリなどの不揮発性メモリで実現される。上記各種データは、記憶部１２０ｂ内部の各種記憶部に記憶される。記憶部１２０ｂは、画像データ記憶部１２１、実行可能処理記憶部１２２ｂ、および、処理指定情報記憶部１２３ｂを含んでいる。
【０３２１】
実行可能処理記憶部１２２ｂは、テレビ１１ｂが、各表示モードにおいて実行可能な処理を記憶するものである。そのために、実行可能処理記憶部１２２ｂは、表示モードと、当該表示モードにおいて実行可能な処理を指定するコマンド名６との組を、読み出し可能な状態で記憶するものである。さらに、モード毎に、当該モードに対応付けられているコマンド名６にて指定される処理を実行すべき実行順序を、当該コマンド名６と対応付けて記憶する。
【０３２２】
実行可能処理記憶部１２２ｂは、例えば下記の表２に示すようなデータ構造とすることができる。表２は、実行可能処理記憶部１２２ｂのデータ構造の一例を示す表である。表２に示すように、実行可能処理記憶部１２２ｂは、「表示モード」カラム、「コマンド」カラム、および「実行順序」カラムの組から成るレコードを記憶する。「表示モード」カラムの値は、表示モードを識別する情報である。「コマンド」カラムの値は、コマンドを識別する情報であり、例えばコマンド名６である。「実行順序」カラムの値は、コマンド名６にて指定される処理が実行されるべき順序を示す情報（例えば、数値）である。なお、「実行順序」カラムは必ずしも含んでいなくてもよい。
【０３２３】
表２の例では、ブラウザモードで実行する処理を指定するコマンド名６として、「コマンド」に“フォトアルバム”および“ＷＷＷ Ｇｅｔ”が格納されている。そして、“フォトアルバム”には「実行順序」として値‘１’が付されており、“ＷＷＷ Ｇｅｔ”には「実行順序」として値‘２’が付されている。したがって、ブラウザモードでは、“フォトアルバム”で指定される処理と“ＷＷＷ Ｇｅｔ”で指定される処理とを実行することが可能であって、かつ、ブラウザモードでは、“フォトアルバム”で指定される処理は１番目に実行されるべき処理であり、“ＷＷＷ Ｇｅｔ”で指定される処理は２番目に実行されるべき処理であることが記憶されている。なお、２番目以降に実行されることが記憶されている処理については、必ずしも実行しなくてもよい。
【０３２４】
また、例えば、放送モードで実行する処理を指定するコマンド名６として、「コマンド」に“フォトアルバム”のみが格納されている。そして、“フォトアルバム”には「実行順序」として値‘１’が付されている。したがって、放送モードでは、“フォトアルバム”で指定される処理のみを実行することが可能であることが記憶されている。
【０３２５】
また、実行可能処理記憶部１２２ｂに記憶される情報は、工場出荷時などの時点で予め設定されていてもよいし、テレビ１１ｂのユーザが入力操作部１３４を用いて設定可能になっていてもよい。
【０３２６】
【表２】
0004386954.tif 000003
【０３２７】
処理指定情報記憶部１２３ｂは、操作装置から送信された画像データに処理指定情報５が含まれる場合、その処理指定情報５のうち、テレビ１１ｂが実行可能な処理を指定する処理指定情報５を記憶するものである。
【０３２８】
なお、記憶部１２０は、必ずしもテレビ１１に備えられる必要はなく、外部記憶装置として、読み取り可能な状態でテレビ１１に接続される構成であってもよい。また、ＳＤカードのような、テレビ１１に着脱可能なメモリ（メモリカード）であってもよい。
【０３２９】
制御部１１０ｂは、画像データ受信部（処理指定情報取得手段）１１１、処理指定情報抽出部（処理指定情報取得手段、処理指定情報抽出手段）１１２ｂ、イベント処理部１１３、表示モード管理部１１４、処理実行部（現在モード取得手段、処理実行手段）１１５ｂ、および放送データ出力処理部１１７を含んでいる。
【０３３０】
処理指定情報抽出部１１２ｂは、実施の形態１の処理指定情報抽出部１１２と同様の機能を備えるが、実施の形態１の処理指定情報抽出部１１２と異なり、実行可能処理記憶部１２２ｂに格納されている、テレビ１１ｂが実行可能な処理を指定するコマンドを識別可能な情報に基づいて、上記抽出した処理指定情報５のうち、テレビ１１ｂにて実行可能な処理を指定するコマンドを含む処理指定情報５がいずれであるかを判定する。
【０３３１】
処理実行部１１５ｂは、処理指定情報抽出部１１２ｂの処理が終了したことをトリガとして、まず、表示モード管理部１１４で管理されている、現在の表示モードを取得する。そして、現在の表示モードが、１）アルバムモード、２）ブラウザモード、３）画像表示モード、４）放送モード、のいずれであるかに応じて、処理指定情報記憶部１２３に格納されている処理指定情報５と、実行可能処理記憶部１２２ｂに格納されている情報とに基づいて、各種処理を実行する。
【０３３２】
各種処理を実行するために、処理実行部１１５ｂは、ＨＴＴＰサーバアクセス処理部１１５１ｂ、フォトアルバム処理部１１５２ｂ、テレビコマンド処理部１１５３ｂ、および画像データ表示処理部１１５４ｂを含んでいる。
【０３３３】
ＨＴＴＰサーバアクセス処理部１１５１ｂは、外部通信部１３２を介して、コマンド名６が“ＷＷＷ Ｇｅｔ”である処理指定情報５のパラメータ７で指定されたＵＲＬで示されるＨＴＴＰサーバ９０のＷｅｂページを取得する。そして、該取得したＷｅｂページを表示部１３３に出力する。
【０３３４】
また、外部通信部１３２を介して、コマンド名６が“ＷＷＷ Ｐｏｓｔ”である処理指定情報５のパラメータ７で指定されたＵＲＬで示されるＨＴＴＰサーバ９０に、当該処理指定情報５を含んでいる画像データを送信してもよい。該画像データは、画像データ記憶部１２１から取得する。なお、画像データを送信した応答として、ＨＴＴＰサーバ９０から所定のデータが返信される場合は、該所定のデータを表示部１３３に出力してもよい。
【０３３５】
フォトアルバム処理部１１５２ｂは、外部通信部１３２を介して、フォトアルバムサーバ９１にアクセスし、コマンド名６が“フォトアルバム”である処理指定情報５のパラメータ７で指定されたＩＤで特定されるアルバムに属する写真データ群を取得する。そして、該取得した写真データ群の写真を表示部１３３に一覧表示、あるいは、スライドショー表示する。
【０３３６】
テレビコマンド処理部１１５３ｂは、コマンド名６が“テレビコマンド”である処理指定情報５のパラメータ７で指定された情報に基づいて、テレビ１１ｂを制御する。例えば、処理指定情報５のパラメータ７で指定された情報が、テレビ１１ｂの外部入力を切り替える旨であれば、外部入力部１３７に対して、パラメータ７で指定された情報に基づいて、外部入力を切り替える旨を指示する。
【０３３７】
画像データ表示処理部１１５４ｂは、画像データを表示部１３３に出力する。当該画像データは、画像データ記憶部１２１から取得する。
【０３３８】
なお、画像データ表示処理部１１５４ｂは、画像データに含まれる画像情報を展開するためのデコーダを含んでいる。より具体的には、画像データに含まれている圧縮（あるいは符号化）された画像情報を読み出し、該読み出した画像情報を表示可能な形式に展開（あるいは復号）する。上記デコーダは、ＪＰＥＧ形式やＴＩＦＦ形式など各種形式の画像データに対応しており、展開対象となる画像データの形式に応じた展開処理を実行する。
【０３３９】
以下で、現在の表示モードが、１）アルバムモード、２）ブラウザモード、３）画像表示モード、４）放送モードのそれぞれである場合に分けて、処理内容を詳細に説明する。なお、処理実行部１１５ｂは、各種処理を実行するにあたり、実行可能処理記憶部１２２ｂを参照し、現在の表示モードで実行可能な処理を指定するコマンド名６、および、その処理の実行順序を、事前に取得する。以下では、表２に示した情報が、実行可能処理記憶部１２２ｂに格納されているものとして説明する。
【０３４０】
（アルバムモードでの処理内容）
最初に、現在の表示モードがアルバムモードである場合について説明する。まず、処理実行部１１５ｂは、処理指定情報記憶部１２３に処理指定情報５が格納されているか否かを調べる。そして、処理指定情報記憶部１２３に処理指定情報５が格納されていない場合、処理実行部１１５ｂは、表示モード管理部１１４に対して、表示モードを画像表示モードに切り替える旨を指示する。その後、処理実行部１１５ｂは、画像データ表示処理部１１５４ｂに処理を行なわせる。
【０３４１】
一方、処理指定情報記憶部１２３に処理指定情報５が格納されている場合、処理実行部１１５ｂは、まず、アルバムモードにおいて１番目に実行すべき処理を指定する“フォトアルバム”をコマンド名６とする処理指定情報５が、処理指定情報記憶部１２３に格納されているか否かを調べる。そして、コマンド名６が“フォトアルバム”である処理指定情報５が、処理指定情報記憶部１２３に格納されている場合、処理実行部１１５ｂは、フォトアルバム処理部１１５２ｂに処理を行なわせる。
【０３４２】
一方、コマンド名６が“フォトアルバム”である処理指定情報５が、処理指定情報記憶部１２３に格納されていない場合、処理実行部１１５ｂは、アルバムモードにおいて２番目に実行すべき処理を指定する“ＷＷＷ Ｇｅｔ”をコマンド名６とする処理指定情報５が処理指定情報記憶部１２３に格納されているか否かを調べる。そして、コマンド名６が“ＷＷＷ Ｇｅｔ”である処理指定情報５が処理指定情報記憶部１２３に格納されている場合、処理実行部１１５ｂは、表示モード管理部１１４に対して、表示モードをブラウザモードに切り替える旨を指示する。その後、処理実行部１１５ｂは、ＨＴＴＰサーバアクセス処理部１１５１ｂに処理を行なわせる。
【０３４３】
以上のように、現在の表示モードがアルバムモードであって、かつ、処理指定情報記憶部１２３に処理指定情報５が格納されている場合、処理実行部１１５ｂは、まず、１番目に実行すべき処理を指定する“フォトアルバム”をコマンド名６とする処理指定情報５が、処理指定情報記憶部１２３に格納されているか否かを調べ、その次に、２番目に実行すべき処理を指定する“ＷＷＷ Ｇｅｔ”をコマンド名６とする処理指定情報５が処理指定情報記憶部１２３に格納されているか否かを調べる。これは、処理実行部１１５ｂが、実行可能処理記憶部１２２ｂを参照して事前に取得した、現在の表示モードで実行可能な処理のコマンド名６、および、その処理の実行順序に基づいて行なう。なお、必ずしも実行順序が設けられている全ての処理を実行する必要はなく、実行する処理の上限数を予め設けていてもよい。
【０３４４】
なお、コマンド名６が“テレビコマンド”である処理指定情報５が処理指定情報記憶部１２３に格納されている場合、処理実行部１１５ｂは、テレビコマンド処理部１１５３ｂに処理を行なわせてもよい。
【０３４５】
（ブラウザモードでの処理内容）
次に、現在の表示モードがブラウザモードである場合について説明する。まず、処理実行部１１５ｂは、処理指定情報記憶部１２３に処理指定情報５が格納されているか否かを調べる。そして、処理指定情報記憶部１２３に処理指定情報５が格納されていない場合、処理実行部１１５ｂは、表示モード管理部１１４に対して、表示モードを画像表示モードに切り替える旨を指示する。その後、処理実行部１１５ｂは、画像データ表示処理部１１５４ｂに処理を行なわせる。
【０３４６】
一方、処理指定情報記憶部１２３に処理指定情報５が格納されている場合、処理実行部１１５ｂは、まず、ブラウザモードにおいて１番目に実行すべき処理を指定する“ＷＷＷ Ｇｅｔ”をコマンド名６とする処理指定情報５が、処理指定情報記憶部１２３に格納されているか否かを調べる。そして、コマンド名６が“ＷＷＷ Ｇｅｔ”である処理指定情報５が、処理指定情報記憶部１２３に格納されている場合、処理実行部１１５ｂは、ＨＴＴＰサーバアクセス処理部１１５１ｂに処理を行なわせる。
【０３４７】
一方、コマンド名６が“ＷＷＷ Ｇｅｔ”である処理指定情報５が処理指定情報記憶部１２３に格納されていない場合、処理実行部１１５ｂは、ブラウザモードにおいて２番目に実行すべき処理を指定する“フォトアルバム”をコマンド名６とする処理指定情報５が、処理指定情報記憶部１２３に格納されているか否かを調べる。そして、コマンド名６が“フォトアルバム”である処理指定情報５が、処理指定情報記憶部１２３に格納されている場合、処理実行部１１５ｂは、表示モード管理部１１４に対して、表示モードをアルバムモードに切り替える旨を指示する。その後、フォトアルバム処理部１１５２ｂに処理を行なわせる。
【０３４８】
以上のように、現在の表示モードがブラウザモードであって、かつ、処理指定情報記憶部１２３に処理指定情報５が格納されている場合、処理実行部１１５ｂは、まず、ブラウザモードにおいて１番目に実行すべき処理を指定する“ＷＷＷ Ｇｅｔ”をコマンド名６とする処理指定情報５が、処理指定情報記憶部１２３に格納されているか否かを調べ、その次に、ブラウザモードにおいて２番目に実行すべき処理を指定する“フォトアルバム”をコマンド名６とする処理指定情報５が処理指定情報記憶部１２３に格納されているか否かを調べる。これは、処理実行部１１５ｂが、実行可能処理記憶部１２２ｂを参照して事前に取得した、現在の表示モードで実行可能な処理のコマンド名６、および、その処理の実行順序に基づいて行なう。
【０３４９】
なお、コマンド名６が“テレビコマンド”である処理指定情報５が処理指定情報記憶部１２３に格納されている場合、処理実行部１１５ｂは、テレビコマンド処理部１１５３ｂに処理を行なわせてもよい。
【０３５０】
（画像表示モードでの処理内容）
次に、現在の表示モードが画像表示モードである場合について説明する。まず、処理実行部１１５ｂは、処理指定情報記憶部１２３に処理指定情報５が格納されているか否かを調べる。そして、処理指定情報記憶部１２３に処理指定情報５が格納されていない場合、処理実行部１１５ｂは、画像データ表示処理部１１５４ｂに処理を行なわせる。
【０３５１】
一方、処理指定情報記憶部１２３に処理指定情報５が格納されている場合、処理実行部１１５ｂは、まず、画像表示モードにおいて１番目に実行すべき処理を指定する“フォトアルバム”をコマンド名６とする処理指定情報５が、処理指定情報記憶部１２３に格納されているか否かを調べる。そして、コマンド名６が“フォトアルバム”である処理指定情報５が、処理指定情報記憶部１２３に格納されている場合、処理実行部１１５ｂは、表示モード管理部１１４に対して、表示モードをアルバムモードに切り替える旨を指示する。その後、フォトアルバム処理部１１５２ｂに処理を行なわせる。
【０３５２】
一方、コマンド名６が“フォトアルバム”である処理指定情報５が、処理指定情報記憶部１２３に格納されていない場合、処理実行部１１５ｂは、画像表示モードにおいて２番目に実行すべき処理を指定する“ＷＷＷ Ｇｅｔ”をコマンド名６とする処理指定情報５が処理指定情報記憶部１２３に格納されているか否かを調べる。そして、コマンド名６が“ＷＷＷ Ｇｅｔ”である処理指定情報５が処理指定情報記憶部１２３に格納されている場合、処理実行部１１５ｂは、表示モード管理部１１４に対して、表示モードをブラウザモードに切り替える旨を指示する。その後、処理実行部１１５ｂは、ＨＴＴＰサーバアクセス処理部１１５１ｂに処理を行なわせる。
【０３５３】
以上のように、現在の表示モードが画像表示モードであって、かつ、処理指定情報記憶部１２３に処理指定情報５が格納されている場合、処理実行部１１５ｂは、まず、画像表示モードにおいて１番目に実行すべき処理を指定する“フォトアルバム”をコマンド名６とする処理指定情報５が、処理指定情報記憶部１２３に格納されているか否かを調べ、その次に、画像表示モードにおいて２番目に実行すべき処理を指定する“ＷＷＷ Ｇｅｔ”をコマンド名６とする処理指定情報５が処理指定情報記憶部１２３に格納されているか否かを調べる。これは、処理実行部１１５ｂが、実行可能処理記憶部１２２ｂを参照して事前に取得した、現在の表示モードで実行可能な処理のコマンド名６、および、その処理の実行順序に基づいて行なう。
【０３５４】
なお、コマンド名６が“テレビコマンド”である処理指定情報５が処理指定情報記憶部１２３に格納されている場合、処理実行部１１５ｂは、テレビコマンド処理部１１５３ｂに処理を行なわせてもよい。
【０３５５】
（放送モードでの処理内容）
次に、現在の表示モードが放送モードである場合について説明する。まず、処理実行部１１５ｂは、画像データを処理するか否かをユーザに確認する確認画面を表示部１３３に表示する。その後、上記確認画面において、ユーザが画像データを処理しない旨を入力（処理しない旨のボタンを押下する等）した場合、処理実行部１１５ｂは、上記確認画面を非表示にする。テレビ１１ｂは、引き続き、放送モードにて、放送データ受信部１３５が受信したチャンネルの映像を表示部１３３に出力する。
【０３５６】
一方、上記確認画面において、ユーザが画像データを処理する旨を入力（処理する旨のボタンを押下する等）した場合、処理実行部１１５ｂは、上記確認画面を非表示にした後、処理指定情報記憶部１２３に処理指定情報５が格納されているか否かを調べる。そして、処理指定情報記憶部１２３に処理指定情報５が格納されていない場合、処理実行部１１５ｂは、画像データ表示処理部１１５４ｂに処理を行なわせる。
【０３５７】
一方、処理指定情報記憶部１２３に処理指定情報５が格納されている場合、処理実行部１１５ｂは、まず、放送モードにおいて１番目に実行すべき処理を指定する“フォトアルバム”をコマンド名６とする処理指定情報５が、処理指定情報記憶部１２３に格納されているか否かを調べる。そして、コマンド名６が“フォトアルバム”である処理指定情報５が、処理指定情報記憶部１２３に格納されている場合、処理実行部１１５ｂは、表示モード管理部１１４に対して、表示モードをアルバムモードに切り替える旨を指示する。その後、フォトアルバム処理部１１５２ｂに処理を行なわせる。
【０３５８】
一方、コマンド名６が“フォトアルバム”である処理指定情報５が、処理指定情報記憶部１２３に格納されていない場合、処理実行部１１５ｂは、何も実行せずに処理を終了する。
【０３５９】
以上のように、現在の表示モードが放送モードであって、かつ、処理指定情報記憶部１２３に処理指定情報５が格納されている場合、処理実行部１１５ｂは、放送モードにおいて１番目に実行すべき処理を指定する“フォトアルバム”をコマンド名６とする処理指定情報５が、処理指定情報記憶部１２３に格納されているか否かを調べる。これは、処理実行部１１５ｂが、実行可能処理記憶部１２２ｂを参照して事前に取得した、現在の表示モードで実行可能な処理のコマンド名６、および、その処理の実行順序に基づいて行なう。
【０３６０】
なお、コマンド名６が“テレビコマンド”である処理指定情報５が処理指定情報記憶部１２３に格納されている場合、処理実行部１１５ｂは、テレビコマンド処理部１１５３ｂに処理を行なわせてもよい。
【０３６１】
（テレビ１１ｂにおける処理の流れの概要）
次に、図２２から図２６を参照しながら、画像データを受信したテレビ１１ｂが行なう処理の流れについて説明する。なお、図２２から図２６に示す処理の流れは一例であり、画像データを受信したテレビ１１ｂが行なう処理の流れがこれに限定されるものではない。
【０３６２】
図２２は、画像データを受信したテレビ１１ｂが行なう処理の流れの概略を示すフローチャートである。
【０３６３】
まず、画像データ受信部１１１が、無線通信部１３１を介して、操作装置２０としての携帯電話機２１から送信される画像データを受信すると、該受信した画像データを画像データ記憶部１２１に格納する（ステップＳ６０１）。
【０３６４】
そして、処理指定情報抽出部１１２が、上記格納された画像データに処理指定情報５が含まれているかを判定し、処理指定情報５が含まれていれば、処理指定情報５を抽出する。そして、該抽出した処理指定情報５のうち、テレビ１１にて実行可能なコマンド（“ＷＷＷ Ｇｅｔ”、“ＷＷＷ Ｐｏｓｔ”、“フォトアルバム”、“テレビコマンド”など）を含む処理指定情報５のみを処理指定情報記憶部１２３に格納する（ステップＳ６０２）。
【０３６５】
次に、処理実行部１１５が、表示モード管理部１１４で管理されている、現在の表示モードを参照する。そして、現在の表示モードが、１）アルバムモード、２）ブラウザモード、３）画像表示モード、４）放送モード、のいずれであるかに応じて各種処理を実行する。
【０３６６】
現在の表示モードがアルバムモードである場合（ステップＳ６０３にてＹＥＳ）、処理実行部１１５は、アルバムモード時の処理を行なう（ステップＳ６０４）。一方、現在の表示モードがブラウザモードである場合（ステップＳ６０５にてＹＥＳ）、処理実行部１１５は、ブラウザモード時の処理を行なう（ステップＳ６０６）。一方、現在の表示モードが画像表示モードである場合（ステップＳ６０７にてＹＥＳ）、処理実行部１１５は、画像表示モード時の処理を行なう（ステップＳ６０８）。一方、現在の表示モードが放送モードである場合（ステップＳ６０９にてＹＥＳ）、処理実行部１１５は、放送モード時の処理を行なう（ステップＳ６１０）。以下で、アルバムモード時の処理、ブラウザモード時の処理、画像表示モード時の処理、および、放送モード時の処理の流れについて述べる。
【０３６７】
（アルバムモード時の処理の流れ）
図２３は、画像データを受信したテレビ１１ｂの表示モードがアルバムモードである場合における、処理の流れを示すフローチャートである。
【０３６８】
まず、処理実行部１１５ｂが、処理指定情報記憶部１２３に処理指定情報５が格納されているか否かを調べる（ステップＳ７０１）。そして、処理指定情報記憶部１２３に処理指定情報５が格納されていない場合（ステップＳ７０１にてＹＥＳ）、処理実行部１１５ｂは、表示モード管理部１１４に対して、表示モードを画像表示モードに切り替える旨を指示し、表示モード管理部１１４は、表示モードを画像表示モードに切り替える（ステップＳ７０２）。
【０３６９】
その後、処理実行部１１５ｂは、画像データ表示処理部１１５４ｂに処理を行なわせる。すなわち、画像データ表示処理部１１５４ｂが、画像データを表示部１３３に出力する（ステップＳ７０３）。
【０３７０】
一方、処理指定情報記憶部１２３に処理指定情報５が格納されている場合であって（ステップＳ７０１にてＮＯ）、アルバムモードにおいて１番目に実行すべき処理を指定する“フォトアルバム”をコマンド名６とする処理指定情報５が、処理指定情報記憶部１２３に格納されている場合（ステップＳ７０４にてＹＥＳ）、処理実行部１１５ｂは、フォトアルバム処理部１１５２ｂに処理を行なわせる。すなわち、フォトアルバム処理部１１５２ｂが、フォトアルバムサーバ９１にアクセスし、コマンド名６が“フォトアルバム”である処理指定情報５のパラメータ７で指定されたＩＤで特定されるアルバムに属する写真データ群を取得する（ステップＳ７０５）。そして、該取得した写真データ群の写真を表示部１３３に一覧表示、あるいは、スライドショー表示する（ステップＳ７０６）。
【０３７１】
一方、コマンド名６が“フォトアルバム”である処理指定情報５が、処理指定情報記憶部１２３に格納されていない場合であって（ステップＳ７０４にてＮＯ）、アルバムモードにおいて２番目に実行すべき処理を指定する“ＷＷＷ Ｇｅｔ”をコマンド名６とする処理指定情報５が処理指定情報記憶部１２３に格納されている場合（ステップＳ７０７にてＹＥＳ）、処理実行部１１５ｂは、表示モード管理部１１４に対して、表示モードをブラウザモードに切り替える旨を指示し、表示モード管理部１１４は、表示モードをブラウザモードに切り替える（ステップＳ７０８）。
【０３７２】
その後、処理実行部１１５ｂは、ＨＴＴＰサーバアクセス処理部１１５１ｂに処理を行なわせる。すなわち、ＨＴＴＰサーバアクセス処理部１１５１ｂが、コマンド名６が“ＷＷＷ Ｇｅｔ”である処理指定情報５のパラメータ７で指定されたＵＲＬで示されるＨＴＴＰサーバ９０のＷｅｂページを取得する（ステップＳ７０９）。そして、該取得したＷｅｂページを表示部１３３に出力する（ステップＳ７１０）。
【０３７３】
なお、コマンド名６が“ＷＷＷ Ｇｅｔ”である処理指定情報５が処理指定情報記憶部１２３に格納されていない場合（ステップＳ７０７にてＮＯ）、処理を終了する。
【０３７４】
（ブラウザモード時の処理の流れ）
図２４は、画像データを受信したテレビ１１ｂの表示モードがブラウザモードである場合における、処理の流れを示すフローチャートである。ステップＳ７１１、ステップＳ７１２、ステップＳ７１３については、それぞれ、図２４で示したフローチャートにおけるステップＳ７０１、ステップＳ７０２、ステップＳ７０３と同様であるので、説明を省略する。
【０３７５】
処理指定情報記憶部１２３に処理指定情報５が格納されている場合であって（ステップＳ７１１にてＮＯ）、ブラウザモードにおいて１番目に実行すべき処理を指定する“ＷＷＷ Ｇｅｔ”をコマンド名６とする処理指定情報５が処理指定情報記憶部１２３に格納されている場合（ステップＳ７１４にてＹＥＳ）、処理実行部１１５ｂは、ＨＴＴＰサーバアクセス処理部１１５１ｂに処理を行なわせる（ステップＳ７１５、ステップＳ７１６）。ステップＳ７１５およびステップＳ７１６は、それぞれ、図２３で示したフローチャートにおけるステップＳ７０９およびステップＳ７１０と同様であるので、説明を省略する。
【０３７６】
一方、コマンド名６が“ＷＷＷ Ｇｅｔ”である処理指定情報５が処理指定情報記憶部１２３に格納されていない場合であって（ステップＳ７１４にてＮＯ）、ブラウザモードにおいて２番目に実行すべき処理を指定する“フォトアルバム”をコマンド名６とする処理指定情報５が、処理指定情報記憶部１２３に格納されている場合（ステップＳ７１７にてＹＥＳ）、処理実行部１１５ｂは、表示モード管理部１１４に対して、表示モードをアルバムモードに切り替える旨を指示し、表示モード管理部１１４は、表示モードをアルバムモードに切り替える（ステップＳ７１８）。その後、処理実行部１１５ｂは、フォトアルバム処理部１１５２ｂに処理を行なわせる（ステップＳ７１９、ステップＳ７２０）。ステップＳ７１９およびステップＳ７２０は、それぞれ、図２３で示したフローチャートにおけるステップＳ７０５およびステップＳ７０６と同様であるので、説明を省略する。
【０３７７】
なお、コマンド名６が“フォトアルバム”である処理指定情報５が処理指定情報記憶部１２３に格納されていない場合（ステップＳ７１７にてＮＯ）、処理を終了する。
【０３７８】
（画像表示モード時の処理の流れ）
図２５は、画像データを受信したテレビ１１ｂの表示モードが画像表示モードである場合における、処理の流れを示すフローチャートである。
【０３７９】
まず、処理実行部１１５ｂが、処理指定情報記憶部１２３に処理指定情報５が格納されているか否かを調べる（ステップＳ７２１）。そして、処理指定情報記憶部１２３に処理指定情報５が格納されていない場合（ステップＳ７２１にてＹＥＳ）、処理実行部１１５ｂは、画像データ表示処理部１１５４ｂに処理を行なわせる。すなわち、画像データ表示処理部１１５４ｂが、画像データを表示部１３３に出力する（ステップＳ７２２）。
【０３８０】
一方、処理指定情報記憶部１２３に処理指定情報５が格納されている場合であって（ステップＳ７０１にてＮＯ）、画像表示モードにおいて１番目に実行すべき処理を指定する“フォトアルバム”をコマンド名６とする処理指定情報５が、処理指定情報記憶部１２３に格納されている場合（ステップＳ７０４にてＹＥＳ）、処理実行部１１５ｂは、表示モード管理部１１４に対して、表示モードをアルバムモードに切り替える旨を指示し、表示モード管理部１１４は、表示モードをアルバムモードに切り替える（ステップＳ７２４）。その後、処理実行部１１５ｂは、フォトアルバム処理部１１５２ｂに処理を行なわせる（ステップＳ７２５、ステップＳ７２６）。ステップＳ７２５およびステップＳ７２６は、それぞれ、図２３で示したフローチャートにおけるステップＳ７０５およびステップＳ７０６と同様であるので、説明を省略する。
【０３８１】
一方、コマンド名６が“フォトアルバム”である処理指定情報５が、処理指定情報記憶部１２３に格納されていない場合であって（ステップＳ７２３にてＮＯ）、画像表示モードにおいて２番目に実行すべき処理を指定する“ＷＷＷ Ｇｅｔ”をコマンド名６とする処理指定情報５が処理指定情報記憶部１２３に格納されている場合（ステップＳ７２７にてＹＥＳ）、処理実行部１１５ｂは、表示モード管理部１１４に対して、表示モードをブラウザモードに切り替える旨を指示し、表示モード管理部１１４は、表示モードをブラウザモードに切り替える（ステップＳ７２８）。
【０３８２】
その後、処理実行部１１５ｂは、ＨＴＴＰサーバアクセス処理部１１５１ｂに処理を行なわせる（ステップＳ７２９、ステップＳ７３０）。ステップＳ７２９およびステップＳ７３０は、それぞれ、図２３で示したフローチャートにおけるステップＳ７０９およびステップＳ７１０と同様であるので、説明を省略する。
【０３８３】
なお、コマンド名６が“ＷＷＷ Ｇｅｔ”である処理指定情報５が処理指定情報記憶部１２３に格納されていない場合（ステップＳ７２７にてＮＯ）、処理を終了する。
【０３８４】
（放送モード時の処理の流れ）
図２６は、画像データを受信したテレビ１１ｂの表示モードが放送モードである場合における、処理の流れを示すフローチャートである。
【０３８５】
まず、処理実行部１１５ｂが、画像データを処理するか否かをユーザに確認する確認画面を表示部１３３に表示する（ステップＳ７３１）。そして、上記確認画面において、ユーザが画像データを処理しない旨を入力した場合（ステップＳ７３２にてＮＯ）、処理実行部１１５ｂは、上記確認画面を非表示にする（ステップＳ７３３）。そして、テレビ１１ｂは、引き続き、放送モードにて、放送データ受信部１３５が受信したチャンネルの映像を表示部１３３に出力する。
【０３８６】
一方、一方、上記確認画面において、ユーザが画像データを処理する旨を入力した場合（ステップＳ７３２にてＹＥＳ）、処理実行部１１５ｂは、上記確認画面を非表示にする（ステップＳ７３４）。なお、このとき、一旦、放送データ受信部１３５が受信したチャンネルの映像が再度表示部１３３に出力されることになる。
【０３８７】
続いて、処理実行部１１５ｂは、処理指定情報記憶部１２３に処理指定情報５が格納されているか否かを調べる（ステップＳ７３５）。そして、処理指定情報記憶部１２３に処理指定情報５が格納されていない場合（ステップＳ７３５にてＹＥＳ）、処理実行部１１５ｂは、表示モード管理部１１４に対して、表示モードを画像表示モードに切り替える旨を指示し、表示モード管理部１１４は、表示モードを画像表示モードに切り替える（ステップＳ７３６）。
【０３８８】
その後、処理実行部１１５ｂは、画像データ表示処理部１１５４ｂに処理を行なわせる。すなわち、画像データ表示処理部１１５４ｂが、画像データを表示部１３３に出力する（ステップＳ７３７）。
【０３８９】
一方、処理指定情報記憶部１２３に処理指定情報５が格納されている場合であって（ステップＳ７３５にてＮＯ）、放送モードにおいて１番目に実行すべき処理を指定する“フォトアルバム”をコマンド名６とする処理指定情報５が、処理指定情報記憶部１２３に格納されている場合（ステップＳ７３８にてＹＥＳ）、処理実行部１１５ｂは、表示モード管理部１１４に対して、表示モードをアルバムモードに切り替える旨を指示し、表示モード管理部１１４は、表示モードをアルバムモードに切り替える（ステップＳ７３９）。その後、処理実行部１１５ｂは、フォトアルバム処理部１１５２ｂに処理を行なわせる（ステップＳ７４０、ステップＳ７４１）。ステップＳ７４０およびステップＳ７４１は、それぞれ、図２３で示したフローチャートにおけるステップＳ７０５およびステップＳ７０６と同様であるので、説明を省略する。
【０３９０】
なお、コマンド名６が“フォトアルバム”である処理指定情報５が処理指定情報記憶部１２３に格納されていない場合（ステップＳ７３８にてＮＯ）、処理を終了する。
【０３９１】
ところで、放送モードでテレビ放送の映像を表示部１３３に出力している際、例えば、表示モードを突然ブラウザモードに切り替えてＷｅｂページを表示したりすると、ユーザは何が起きたのか理解しづらく、ユーザの利便性を損なう虞がある。そこで、上述のフローチャートでは、処理指定情報記憶部１２３に処理指定情報５が格納されていないか（ステップＳ７３５にてＹＥＳ）、または、コマンド名６が“フォトアルバム”である処理指定情報５が格納されている場合（ステップＳ７３８にてＹＥＳ）のみ、処理を行なうようにしている。
【０３９２】
また、事前に、画像データを処理するか否かをユーザに確認する確認画面を表示部１３３に表示する（ステップＳ７３１）ことによって、ユーザに対して何が起こるのかを理解しやすくしている。
【０３９３】
なお、放送モード時の処理の流れは、図２６で示したフローチャートに限定されるものではなく、例えば、放送モードにおいては、画像データに対する処理を行なわないという流れであってもよい。
【０３９４】
（画面例）
次に、図２７を参照しながら、図２３から図２６で示した処理の流れにおいて、テレビ１１ｂの表示部１３３に表示される画面の移り変わりについて、８つのケースを例に挙げて説明する。
【０３９５】
なお、図２７（ａ）は、表示モードが画像表示モードであって、画像データを表示部１３３に表示している様子を示す図である。図２７（ｂ）は、表示モードがブラウザモードであって、ＨＴＴＰサーバ９０から取得したＷｅｂページを表示部１３３に表示している様子を示す図である。図２７（ｃ）は、表示モードがアルバムモードであって、フォトアルバムサーバ９１から取得した取得した写真データ群の写真を表示部１３３に一覧表示している様子を示す図である。図２７（ｄ）は、表示モードが放送モードであるときに、画像データを処理するか否かをユーザに確認する確認画面を表示部１３３に表示している様子を示す図である。
【０３９６】
（ケース１）
まず、テレビ１１ｂにおいて、ブラウザモードで、ＨＴＴＰサーバ９０から取得したＷｅｂページを表示部１３３に表示しているとき（例えば、図２７（ｂ））、コマンド名６が“ＷＷＷ Ｇｅｔ”である処理指定情報５を含む画像データを受信した場合について説明する。
【０３９７】
この場合、まず図２２に示したフローチャートにおいて、ステップＳ６０１およびステップＳ６０２を経て、コマンド名６が“ＷＷＷ Ｇｅｔ”である処理指定情報５が、処理指定情報記憶部１２３に格納される。そして、表示モードがブラウザモードであるため（ステップＳ６０５にてＹＥＳ）、ブラウザモード時の処理を行なう（ステップＳ６０６）。
【０３９８】
すなわち、図２４に示したフローチャートにおいて、コマンド名６が“ＷＷＷ Ｇｅｔ”である処理指定情報５が、処理指定情報記憶部１２３に格納されているため（ステップＳ７１１にてＮＯ、ステップＳ７１４にてＹＥＳ）、ＨＴＴＰサーバアクセス処理部１１５１ｂが、コマンド名６が“ＷＷＷ Ｇｅｔ”である処理指定情報５のパラメータ７で指定されたＵＲＬで示されるＨＴＴＰサーバ９０のＷｅｂページを取得し（ステップＳ７１５）、該取得したＷｅｂページを表示部１３３に出力する（ステップＳ７１６）。
【０３９９】
したがって、テレビ１１ｂの表示部１３３に表示される画面は、上記取得したＷｅｂページを表示する画面に切り替わる。
【０４００】
（ケース２）
次に、テレビ１１ｂにおいて、アルバムモードで、フォトアルバムサーバ９１から取得した写真を表示部１３３に表示しているとき（例えば、図２７（ｃ））、コマンド名６が“ＷＷＷ Ｇｅｔ”である処理指定情報５を含む画像データを受信した場合について説明する。
【０４０１】
この場合、まず図２２に示したフローチャートにおいて、ステップＳ６０１およびステップＳ６０２を経て、コマンド名６が“ＷＷＷ Ｇｅｔ”である処理指定情報５が、処理指定情報記憶部１２３に格納される。そして、表示モードがアルバムモードであるため（ステップＳ６０３にてＹＥＳ）、アルバムモード時の処理を行なう（ステップＳ６０４）。
【０４０２】
すなわち、図２３に示したフローチャートにおいて、コマンド名６が“ＷＷＷ Ｇｅｔ”である処理指定情報５が、処理指定情報記憶部１２３に格納されているため（ステップＳ７０１にてＮＯ、ステップＳ７０４にてＮＯ、ステップＳ７０７にてＹＥＳ）、表示モード管理部１１４は、処理実行部１１５ｂからの指示に応じて、表示モードをブラウザモードに切り替える（ステップＳ７０８）。
【０４０３】
その後、処理実行部１１５ｂは、ＨＴＴＰサーバアクセス処理部１１５１ｂに処理を行なわせる。すなわち、ＨＴＴＰサーバアクセス処理部１１５１ｂが、コマンド名６が“ＷＷＷ Ｇｅｔ”である処理指定情報５のパラメータ７で指定されたＵＲＬで示されるＨＴＴＰサーバ９０のＷｅｂページを取得し（ステップＳ７０９）、該取得したＷｅｂページを表示部１３３に出力する（ステップＳ７１０）。
【０４０４】
したがって、テレビ１１ｂの表示部１３３に表示される画面は、上記取得したＷｅｂページを表示する画面（例えば図２７（ｂ）に示した画面）に切り替わる。
【０４０５】
（ケース３）
次に、テレビ１１ｂにおいて、ブラウザモードで、ＨＴＴＰサーバ９０から取得したＷｅｂページを表示部１３３に表示しているとき（例えば、図２７（ｂ））、処理指定情報５を含まない画像データ（すなわち、表示用画像データ４）を受信した場合について説明する。
【０４０６】
この場合、まず図２２に示したフローチャートにおいて、ステップＳ６０１およびステップＳ６０２を経るが、処理指定情報５は、処理指定情報記憶部１２３に格納されない。そして、表示モードがブラウザモードであるため（ステップＳ６０５にてＹＥＳ）、無頼座モード時の処理を行なう（ステップＳ６０６）。
【０４０７】
すなわち、図２４に示したフローチャートにおいて、コマンド名６が“ＷＷＷ Ｇｅｔ”である処理指定情報５が、処理指定情報記憶部１２３に格納されていないため（ステップＳ７１１にてＹＥＳ）、表示モード管理部１１４は、処理実行部１１５ｂからの指示に応じて、表示モードを画像表示モードに切り替える（ステップＳ７１２）。その後、画像データ表示処理部１１５４ｂが、画像データを表示部１３３に出力する（ステップＳ７１３）。
【０４０８】
したがって、テレビ１１ｂの表示部１３３に表示される画面は、上記画像データを表示する画面（例えば図２７（ａ）に示した画面）に切り替わる。
【０４０９】
（ケース４）
次に、テレビ１１ｂにおいて、画像表示モードで、画像データを表示部１３３に表示しているとき（例えば、図２７（ａ））、コマンド名６が“ＷＷＷ Ｇｅｔ”である処理指定情報５、および、コマンド名６が“フォトアルバム”である処理指定情報５を含む画像データを受信した場合について説明する。
【０４１０】
この場合、まず図２２に示したフローチャートにおいて、ステップＳ６０１およびステップＳ６０２を経て、コマンド名６が“ＷＷＷ Ｇｅｔ”である処理指定情報５、および、コマンド名６が“フォトアルバム”である処理指定情報５が、処理指定情報記憶部１２３に格納される。そして、表示モードが画像表示モードであるため（ステップＳ６０７にてＹＥＳ）、画像表示モード時の処理を行なう（ステップＳ６０８）。
【０４１１】
すなわち、図２５に示したフローチャートにおいて、コマンド名６が“フォトアルバム”である処理指定情報５が、処理指定情報記憶部１２３に格納されているため（ステップＳ７２１にてＮＯ、ステップＳ７２３にてＹＥＳ）、表示モード管理部１１４は、処理実行部１１５ｂからの指示に応じて、表示モードをアルバムモードに切り替える（ステップＳ７２４）。そして、フォトアルバム処理部１１５２ｂが、フォトアルバムサーバ９１にアクセスし、コマンド名６が“フォトアルバム”である処理指定情報５のパラメータ７で指定されたＩＤで特定されるアルバムに属する写真データ群を取得し（ステップＳ７２５）、該取得した写真データ群の写真を表示部１３３に一覧表示、あるいは、スライドショー表示する（ステップＳ７２６）。
【０４１２】
したがって、テレビ１１ｂの表示部１３３に表示される画面は、上記写真を表示する画面（例えば図２７（ｃ）に示した画面）に切り替わる。
【０４１３】
なお、この場合、コマンド名６が“ＷＷＷ Ｇｅｔ”である処理指定情報５が、処理指定情報記憶部１２３に格納されているが、上述のとおり、ステップＳ７２７に達しないため、Ｗｅｂページを表示する画面（例えば図２７（ｂ）に示した画面）に切り替わることはない。
【０４１４】
（ケース５）
次に、テレビ１１ｂにおいて、ブラウザモードで、ＨＴＴＰサーバ９０から取得したＷｅｂページを表示部１３３に表示しているとき（例えば、図２７（ｂ））、コマンド名６が“ＷＷＷ Ｇｅｔ”である処理指定情報５、および、コマンド名６が“フォトアルバム”である処理指定情報５を含む画像データを受信した場合について説明する。
【０４１５】
この場合、まず図２２に示したフローチャートにおいて、ステップＳ６０１およびステップＳ６０２を経て、コマンド名６が“ＷＷＷ Ｇｅｔ”である処理指定情報５、および、コマンド名６が“フォトアルバム”である処理指定情報５が、処理指定情報記憶部１２３に格納される。そして、表示モードがブラウザモードであるため（ステップＳ６０５にてＹＥＳ）、ブラウザモード時の処理を行なう（ステップＳ６０６）。
【０４１６】
すなわち、図２４に示したフローチャートにおいて、コマンド名６が“ＷＷＷ Ｇｅｔ”である処理指定情報５が、処理指定情報記憶部１２３に格納されているため（ステップＳ７１１にてＮＯ、ステップＳ７１４にてＹＥＳ）、ＨＴＴＰサーバアクセス処理部１１５１ｂが、コマンド名６が“ＷＷＷ Ｇｅｔ”である処理指定情報５のパラメータ７で指定されたＵＲＬで示されるＨＴＴＰサーバ９０のＷｅｂページを取得し（ステップＳ７１５）、該取得したＷｅｂページを表示部１３３に出力する（ステップＳ７１６）。
【０４１７】
したがって、テレビ１１ｂの表示部１３３に表示される画面は、上記取得したＷｅｂページを表示する画面に切り替わる。
【０４１８】
なお、この場合、コマンド名６が“フォトアルバム”である処理指定情報５が、処理指定情報記憶部１２３に格納されているが、上述のとおり、ステップＳ７１７に達しないため、写真を表示する画面（例えば図２７（ｃ）に示した画面）に切り替わることはない。
【０４１９】
（ケース６）
次に、テレビ１１ｂにおいて、アルバムモードで、フォトアルバムサーバ９１から取得した写真を表示部１３３に表示しているとき（例えば、図２７（ｃ））、コマンド名６が“ＷＷＷ Ｇｅｔ”である処理指定情報５、および、コマンド名６が“フォトアルバム”である処理指定情報５を含む画像データを受信した場合について説明する。
【０４２０】
この場合、まず図２２に示したフローチャートにおいて、ステップＳ６０１およびステップＳ６０２を経て、コマンド名６が“ＷＷＷ Ｇｅｔ”である処理指定情報５、および、コマンド名６が“フォトアルバム”である処理指定情報５が、処理指定情報記憶部１２３に格納される。そして、表示モードがアルバムモードであるため（ステップＳ６０３にてＹＥＳ）、アルバムモード時の処理を行なう（ステップＳ６０４）。
【０４２１】
すなわち、図２３に示したフローチャートにおいて、コマンド名６が“フォトアルバム”である処理指定情報５が、処理指定情報記憶部１２３に格納されているため（ステップＳ７０１にてＮＯ、ステップＳ７０４にてＹＥＳ）、フォトアルバム処理部１１５２ｂが、フォトアルバムサーバ９１にアクセスし、コマンド名６が“フォトアルバム”である処理指定情報５のパラメータ７で指定されたＩＤで特定されるアルバムに属する写真データ群を取得し（ステップＳ７０５）、該取得した写真データ群の写真を表示部１３３に一覧表示、あるいは、スライドショー表示する（ステップＳ７０６）。
【０４２２】
したがって、テレビ１１ｂの表示部１３３に表示される画面は、上記写真を表示する画面（例えば図２７（ｃ）に示した画面）に切り替わる。
【０４２３】
なお、この場合、コマンド名６が“ＷＷＷ Ｇｅｔ”である処理指定情報５が、処理指定情報記憶部１２３に格納されているが、上述のとおり、ステップＳ７０７に達しないため、Ｗｅｂページを表示する画面（例えば図２７（ｂ）に示した画面）に切り替わることはない。
【０４２４】
（ケース７）
次に、テレビ１１ｂにおいて、放送モードで、テレビ放送の映像を表示部１３３に表示しているとき、コマンド名６が“フォトアルバム”である処理指定情報５を含む画像データを受信した場合について説明する。
【０４２５】
この場合、まず図２２に示したフローチャートにおいて、ステップＳ６０１およびステップＳ６０２を経て、コマンド名６が“フォトアルバム”である処理指定情報５が、処理指定情報記憶部１２３に格納される。そして、表示モードが放送モードであるため（ステップＳ６０９にてＹＥＳ）、放送モード時の処理を行なう（ステップＳ６１０）。
【０４２６】
すなわち、図２６に示したフローチャートにおいて、まず、処理実行部１１５ｂが、画像データを処理するか否かをユーザに確認する確認画面を表示部１３３に表示する（ステップＳ７３１）。ここでは、上記確認画面として、図２７（ｄ）に示した画面を例に挙げて説明する。
【０４２７】
ユーザが、図２７（ｄ）に示した画面において「いいえ」ボタンを押下すると（すなわち、ユーザが画像データを処理しない旨を入力した場合（ステップＳ７３２にてＮＯ））、処理実行部１１５ｂは、上記確認画面を非表示にする（ステップＳ７３３）。そして、テレビ１１ｂは、引き続き、放送モードにて、テレビ放送の映像を表示部１３３に出力する。
【０４２８】
一方、ユーザが、図２７（ｄ）に示した画面において「はい」ボタンを押下すると（すなわち、ユーザが画像データを処理する旨を入力した場合（ステップＳ７３２にてＹＥＳ））、処理実行部１１５ｂは、上記確認画面を非表示にする（ステップＳ７３４）。続いて、コマンド名６が“フォトアルバム”である処理指定情報５が、処理指定情報記憶部１２３に格納されているため（ステップＳ７３５にてＮＯ、ステップＳ７３８にてＹＥＳ）、表示モード管理部１１４は、処理実行部１１５ｂからの指示に応じて、表示モードをアルバムモードに切り替える（ステップＳ７３９）。そして、フォトアルバム処理部１１５２ｂが、フォトアルバムサーバ９１にアクセスし、コマンド名６が“フォトアルバム”である処理指定情報５のパラメータ７で指定されたＩＤで特定されるアルバムに属する写真データ群を取得し（ステップＳ７４０）、該取得した写真データ群の写真を表示部１３３に一覧表示、あるいは、スライドショー表示する（ステップＳ７４１）。
【０４２９】
したがって、テレビ１１ｂの表示部１３３に表示される画面は、上記写真を表示する画面（例えば図２７（ｃ）に示した画面）に切り替わる。
【０４３０】
（ケース８）
次に、テレビ１１ｂにおいて、放送モードで、テレビ放送の映像を表示部１３３に表示しているとき、コマンド名６が“ＷＷＷ Ｇｅｔ”である処理指定情報５を含む画像データを受信した場合について説明する。
【０４３１】
この場合、まず図２２に示したフローチャートにおいて、ステップＳ６０１およびステップＳ６０２を経て、コマンド名６が“ＷＷＷ Ｇｅｔ”である処理指定情報５が、処理指定情報記憶部１２３に格納される。そして、表示モードが放送モードであるため（ステップＳ６０９にてＹＥＳ）、放送モード時の処理を行なう（ステップＳ６１０）。
【０４３２】
すなわち、図２６に示したフローチャートにおいて、画像データを処理するか否かをユーザに確認する確認画面を表示部１３３に表示される（ステップＳ７３１）。該確認画面において「はい」および「いいえ」ボタンを押下したときの処理は、ケース６と同様であるので、ここでは説明を省略する。
【０４３３】
そして、ユーザが、図２７（ｄ）に示した画面において「はい」ボタンを押下して、上記確認画面が非表示になった後（ステップＳ７３４）、処理指定情報記憶部１２３に格納されているのはコマンド名６が“ＷＷＷ Ｇｅｔアルバム”である処理指定情報５であるため、何もなされずに処理が終了する（ステップＳ７３５にてＮＯ、ステップＳ７３８にてＮＯ）。
【０４３４】
したがって、テレビ１１ｂは、放送モードで、テレビ放送の映像を表示部１３３に表示したままである。
【０４３５】
（効果）
以上で述べたように、本実施の形態に係る画像データ受信処理装置は、該受信した画像データが処理指定情報５を含む場合、該受信した画像データから処理指定情報５を抽出し、該抽出した処理指定情報５で指定される処理が、自装置で実行可能か否かを判定し、自装置で実行可能な処理のみを実行する。そして、さらに、自装置のモードに応じた処理を実行する。さらに、実行順序にしたがって処理を実行する。
【０４３６】
よって、本実施の形態に係る画像データ受信処理装置は、自装置で実行可能な処理のうち、自装置のモードに応じた処理を実行することができる。そのため、自装置で実行可能な処理のうち、モード毎に、ユーザが期待する（予測可能な）処理のみを予め設定しておくことにより、当該処理のみを実行するようにすることができる。
【０４３７】
言い換えれば、本実施の形態に係る画像データ受信処理装置は、モード毎に、そのモードで実行することが適切でない（実行されることをユーザが予定していない）処理は、実行しないようにすることができる。例えば、テレビ放送の映像を自装置の表示部に表示している放送モードにおいて、ＨＴＴＰサーバから取得したＷｅｂページを自装置の表示部に表示することが適切でない場合、放送モードにおいては、ＨＴＴＰサーバからのＷｅｂページの取得処理を実行しないものとしておくことにより、ＨＴＴＰサーバからＷｅｂページを取得しないようにすることができる。
【０４３８】
さらに、モードに応じて実行すべき処理が複数存在する場合は、それぞれの処理の、当該モードにおける実行順序を予め設定しておくことにより、当該モードにおいて、より適切な処理から順に実行することができる。なお、必ずしも実行順序が設けられている全ての処理を実行する必要はなく、実行する処理の上限数を予め設けていてもよい。
【０４３９】
例えば、あるモードにおいて、１番目に実行可能な処理として、フォトアルバムサーバからアルバムに属する写真データ群を取得する処理が設定されており、２番目に実行可能な処理として、ＨＴＴＰサーバから取得したＷｅｂページを自装置の表示部に表示する処理が設定されている場合、その実行順序に従って処理を実行することができる。つまり、まず、フォトアルバムサーバからアルバムに属する写真データ群を取得し、その次に、ＨＴＴＰサーバから取得したＷｅｂページを自装置の表示部に表示する。もしくは、フォトアルバムサーバからアルバムに属する写真データ群を取得する処理のみを実行してもよい。
【０４４０】
したがって、本発明によれば、画像データ受信処理装置１０を操作装置２０にて操作するユーザの利便性が向上する。
（付記事項）
上述の各実施の形態では、画像データはＪＰＥＧ形式であるものとしたが、画像データは、メーカノート領域６２１を格納し得る形式の画像データであればよい。例えば、ＴＩＦＦ形式の画像データに上記メーカノート領域６２１に相当するものを埋め込んで構成されたものであってもよい。また、ＰＮＧ（Portable Network Graphics）形式の画像データのテキストチャンクに、上記メーカノート領域６２１に相当するものを埋め込んで構成されたものであってもよい。また、ＧＩＦ（Graphics Interchange Format）形式の画像データであってもよい。
【０４４１】
また、上述の各実施の形態において、画像データの改竄を防止することを目的として、画像データに署名情報を含むようにしてもよい。ここで、署名情報は、画像データに含まれる処理指定情報５（コマンド名６およびパラメータ７（例えば、“ＷＷＷ Ｇｅｔ”コマンドのパラメータとしてのＵＲＬ情報など））が改竄されていないことを証明するものを想定している。そして、画像データ受信処理装置１０は、署名情報を参照し、画像データが、信用できる提供元から配信されており、改竄されていないことがわかったときにだけ、当該画像データを処理するようにしてもよい。また、信用できる提供元から配信されていない場合や、署名情報が画像データに含まれていないときは、ユーザに対して、画像データを処理するか否かを確認するようにしてもよい。
【０４４２】
また、上述の各実施の形態では、操作装置２０（２０ｂ）から、１または複数の画像データ受信処理装置１０へ画像データを送信するために、赤外線を用いた片方向通信であるＩｒＳＳプロトコルを用いた。しかしながら、画像データの送信は、片方向通信に限定されるものではなく、双方向の応答があるプロトコルを用いた通信であってもよい。ただし、複数の画像データ受信処理装置１０からの応答が同時に生じると、通信が確立できないため、応答が同時に発生しないような通信プロトコルを用いたり、応答時間にランダム性を入れて、複数の画像データ受信処理装置１０からの応答が同時に生じないようにすることが望ましい。
【０４４３】
また、上述の各実施の形態では、操作装置２０（２０ｂ）から、１または複数の画像データ処理受信装置１０へ画像データを送信するために、赤外線による無線通信を用いた。しかしながら、赤外線を用いた通信に限定されることはなく、ＢｌｕｅＴｏｏｔｈなどの電波を用いた無線通信や、可視光を用いた無線通信であってもよい。さらに、導線や光ファイバなどの接続手段により操作装置２０（２０ｂ）と画像データ受信処理装置１０とを接続し、当該接続手段を介した有線通信により画像データを転送してもよい。
【０４４４】
なお、実施の形態は、上述の他に、以下のようにも表現できる。
【０４４５】
[１]本発明に係るデータ処理システムは、１つ以上の画像データ受信処理装置を制御できる複数の処理指定情報を含む画像データを作成する画像データ作成手段と、作成した画像データを送信する画像データ送信手段を備えることを特徴とする画像データ送信装置および、第１の処理指定情報を含む画像データを受信する第1の画像データ受信手段と、受信した画像データから処理を抽出する第１の処理抽出手段と、抽出した処理から現在の装置の状態に適切な処理を選択する第１の選択手段と、選択した処理を実行する制御手段を備えることを特徴とする第１の画像データ受信処理装置および、第２の処理指定情報を含む画像データを受信する第２の画像データ受信手段と、受信した画像データから処理を抽出する第２の処理抽出手段と、抽出した処理から現在の装置の状態に適切な処理を選択する第２の選択手段と、選択した処理を実行する制御手段を備えることを特徴とする第２の画像データ受信処理装置とからなっていてもよい。
【０４４６】
[２]さらに、本発明に係るデータ処理システムは、１つ以上の画像データ受信処理装置を制御できる複数の処理指定情報を含む画像データを作成する画像データ作成手段と、作成した画像データを送信する画像データ送信手段を備えることを特徴とする画像データ送信装置および、複数の処理指定情報を含む画像データを受信する画像データ受信手段と、受信した画像データを送信する画像データ送信手段を備えることを特徴とする画像データ中継装置および、第１の処理指定情報を含む画像データを受信する第１の画像データ受信手段と、受信した画像データから処理を抽出する第１の処理抽出手段と、抽出した処理から現在の装置の状態に適切な処理を選択する第１の選択手段と、選択した処理を実行する制御手段を備えることを特徴とする第１の画像データ受信処理装置および、第２の処理指定情報を含む画像データを受信する第２の画像データ受信手段と、受信した画像データから処理を抽出する第２の処理抽出手段と、抽出した処理から現在の装置の状態に適切な処理を選択する第２の選択手段と、選択した処理を実行する制御手段を備えることを特徴とする第２の画像データ受信処理装置とからなっていてもよい。
【０４４７】
[３]本発明に係るデータ処理装置は、自装置を制御することができる複数の処理指定情報が格納されている画像データを外部から受信する画像データ受信手段と、受信した画像データから処理を抽出する処理抽出手段と、抽出した処理から現在の装置の状態に適切な処理を選択する選択手段と、選択した処理に基づき制御を実行する制御手段を備えていてもよい。
【０４４８】
[４]さらに、本発明に係るデータ処理装置は、画像データを受信するプロトコルは、赤外線を通信媒体とする片方向通信であってもよい。
【０４４９】
[５]本発明に係る操作装置は、１つ以上の画像データ受信処理装置を制御できる複数の処理指定情報を含む画像データを作成する画像データ作成手段と、作成した画像データを送信する画像データ送信手段を備えていてもよい。
【０４５０】
[６]さらに、本発明に係る操作装置は、送信するプロトコルは、赤外線を通信媒体とする片方向通信であってもよい。
【０４５１】
最後に、制御部１１０・１１０ｂ・１４０・１７０・２１０・５１０は、ＣＰＵを用いてソフトウェアによって実現してもよいし、ハードウェアロジックによって構成してもよい。ソフトウェアによって実現する場合は、テレビ１１（１１ｂ）、電子レンジ１２、レコーダ１３、携帯電話機２１（２１ｂ）は、各機能を実現する制御プログラムの命令を実行するＣＰＵ、上記プログラムを格納したＲＯＭ、上記プログラムを展開するＲＡＭ、上記プログラムおよび各種データを格納するメモリ等の記憶装置（記録媒体）などを備えている。そして、本発明の目的は、上述した機能を実現するソフトウェアであるテレビ１１（１１ｂ）、電子レンジ１２、レコーダ１３、携帯電話機２１（２１ｂ）の制御プログラムのプログラムコード（実行形式プログラム、中間コードプログラム、ソースプログラム）をコンピュータで読み取り可能に記録した記録媒体を、テレビ１１（１１ｂ）、電子レンジ１２、レコーダ１３、携帯電話機２１（２１ｂ）に供給し、テレビ１１（１１ｂ）、電子レンジ１２、レコーダ１３、携帯電話機２１（２１ｂ）内のコンピュータ（またはＣＰＵやＭＰＵ（Micro Processing Unit））が記録媒体に記録されているプログラムコードを読み出し実行することによっても、達成可能である。
【０４５２】
上記記録媒体としては、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【０４５３】
また、テレビ１１（１１ｂ）、電子レンジ１２、レコーダ１３、携帯電話機２１（２１ｂ）を通信ネットワークと接続可能に構成し、上記プログラムコードを通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４ケーブル、ＵＳＢケーブル、電力線搬送、ケーブルＴＶ回線、電話線、ＡＤＳＬ回線等の有線でも、ＩｒＤＡのような赤外線、Ｂｌｕｅｔｏｏｔｈ（登録商標）、ＩＥＥＥ８０２．１１無線、ＨＤＲ、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【０４５４】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【０４５５】
本発明は、操作装置が出力するデータを受信し、該受信したデータに従って処理を実行するデータ処理装置に対して適用することができる。特に、操作装置から画像データを受信し、該受信した画像データに従って処理を実行する画像データ受信処理装置に、好適に利用することができる。
【図面の簡単な説明】
【０４５６】
【図１】本発明の一実施形態に係る画像データ受信処理装置（テレビ）の概略構成を示すブロック図である。
【図２】画像データ提供装置と、操作装置と、本発明の一実施形態に係る画像データ受信処理装置とを含むデータ処理システムの基本構成、および、各装置間で送信される情報の流れを模式的に示すブロック図である。
【図３】図２で示したデータ処理システムに含まれる操作装置（携帯電話機）と、画像データ受信処理装置（テレビおよび電子レンジ）とが通信可能に配置されている様子を示す模式図である。
【図４】図２で示したデータ処理システムにおいてやりとりされる、操作用画像データのデータ構造の概略を示した模式図である。
【図５】図２で示したデータ処理システムにおいてやりとりされる、操作用画像データのデータ構造の他の例を示した模式図である。
【図６】図２で示したデータ処理システムにおいてやりとりされる、操作用画像データのデータ構造の他の例を示した模式図である。
【図７】図２で示したデータ処理システムに含まれる操作装置（携帯電話機）の表示部に表示される、画像データを送信するためのメニュー画面例を示す模式図である。
【図８】図２で示したデータ処理システムに含まれる操作装置（携帯電話機）の概略構成を示すブロック図である。
【図９】本発明の一実施形態に係る画像データ受信処理装置（電子レンジ）の概略構成を示すブロック図である。
【図１０】図８で示した操作装置（携帯電話機）が、画像データ提供装置から受信した画像データを、本発明に係る画像データ受信処理装置に送信する流れの概略を示すフローチャートである。
【図１１】画像データを受信した、図１で示した画像データ受信処理装置（テレビ）が行なう処理の流れの概略を示すフローチャートである。
【図１２】画像データを受信した、図９で示した画像データ受信処理装置（電子レンジ）が行なう処理の流れの概略を示すフローチャートである。
【図１３】操作装置と、本発明の他の一実施形態に係る画像データ受信処理装置とを含むデータ処理システムの基本構成、および、各装置間で送信される情報の流れを模式的に示すブロック図である。
【図１４】図１３で示したデータ処理システムに含まれる操作装置（携帯電話機）の概略構成を示すブロック図である。
【図１５】図１４で示した操作装置（携帯電話機）が生成する操作用画像データの一例を示した模式図である。
【図１６】本発明の他の一実施形態に係る画像データ受信処理装置（レコーダ）の概略構成を示すブロック図である。
【図１７】図１４で示した操作装置（携帯電話機）が、番組情報に基づいて生成した操作用画像データ３を、本発明の他の一実施形態に係る画像データ受信処理装置に送信する流れの概略を示すフローチャートである。
【図１８】図１４で示した操作装置（携帯電話機）から送信される操作用画像データを受信した、図１６に示した画像データ受信処理装置（レコーダ）が行なう処理の流れの概略を示すフローチャートである。
【図１９】図１４で示した操作装置（携帯電話機）が表示部に表示する画面例を模式的に示す図である。
【図２０】図１６に示した画像データ受信処理装置（レコーダ）が、録画予約の状況、および、録画予約できない旨のエラーメッセージを、他の画像データ受信処理装置（テレビ）の表示部に出力する画面例を模式的に示す図である。
【図２１】本発明の他の一実施形態に係る画像データ受信処理装置（テレビ）の概略構成を示すブロック図である。
【図２２】画像データを受信した、図２１で示した画像データ受信処理装置（テレビ）が行なう処理の流れの概略を示すフローチャートである。
【図２３】画像データを受信した、図２１で示した画像データ受信処理装置（テレビ）の表示モードが、アルバムモードである場合における、処理の流れを示すフローチャートである。
【図２４】画像データを受信した、図２１で示した画像データ受信処理装置（テレビ）の表示モードが、ブラウザモードである場合における、処理の流れを示すフローチャートである。
【図２５】画像データを受信した、図２１で示した画像データ受信処理装置（テレビ）の表示モードが、画像表示モードである場合における、処理の流れを示すフローチャートである。
【図２６】画像データを受信した、図２１で示した画像データ受信処理装置（テレビ）の表示モードが、放送モードである場合における、処理の流れを示すフローチャートである。
【図２７】図２７（ａ）は、図２１で示した画像データ受信処理装置（テレビ）の表示モードが画像表示モードであって、画像データを表示部に表示している様子を示す図である。図２７（ｂ）は、図２１で示した画像データ受信処理装置（テレビ）の表示モードがブラウザモードであって、ＨＴＴＰサーバから取得したＷｅｂページを表示部に表示している様子を示す図である。図２７（ｃ）は、図２１で示した画像データ受信処理装置（テレビ）の表示モードがアルバムモードであって、フォトアルバムサーバから取得した取得した写真データ群の写真を表示部に一覧表示している様子を示す図である。図２７（ｄ）は、図２１で示した画像データ受信処理装置（テレビ）の表示モードが放送モードであるときに、画像データを処理するか否かをユーザに確認する確認画面を表示部に表示している様子を示す図である。
【符号の説明】
【０４５７】
３            操作用画像データ（操作データ）
５            処理指定情報
６            コマンド名
７            パラメータ
１０            画像データ受信処理装置（データ処理装置）
１１、１１ｂ    テレビ（データ処理装置）
１２            電子レンジ（データ処理装置）
１３            レコーダ（データ処理装置）
２０、２０ｂ    操作装置
２１、２１ｂ    携帯電話機（操作装置）
１１１            画像データ受信部（処理指定情報取得手段）
１１２            処理指定情報抽出部（処理指定情報取得手段、処理指定情報抽出手段）
１１２ｂ          処理指定情報抽出部（処理指定情報取得手段、処理指定情報抽出手段）
１１４            表示モード管理部
１１５            処理実行部（処理実行手段）
１１５ｂ          処理実行部（現在モード取得手段、処理実行手段）
１２２、１２２ｂ  実行可能処理記憶部
１２３、１２３ｂ  処理指定情報記憶部
１４１            画像データ受信部（処理指定情報取得手段）
１４２            処理指定情報抽出部（処理指定情報取得手段、処理指定情報抽出手段）
１４５            処理実行部（処理実行手段）
１５２            実行可能処理記憶部
１５３            処理指定情報記憶部
１７１            画像データ受信部（処理指定情報取得手段）
１７２            処理指定情報抽出部（処理指定情報取得手段、処理指定情報抽出手段）
１７５            処理実行部（処理実行手段）
１８２            実行可能処理記憶部
１８３            処理指定情報記憶部
９００、９１０    データ処理システム
【図１】
0004386954.tif 000004
【図２】
0004386954.tif 000005
【図３】
0004386954.tif 000006
【図４】
0004386954.tif 000007
【図５】
0004386954.tif 000008
【図６】
0004386954.tif 000009
【図７】
0004386954.tif 000010
【図８】
0004386954.tif 000011
【図９】
0004386954.tif 000012
【図１０】
0004386954.tif 000013
【図１１】
0004386954.tif 000014
【図１２】
0004386954.tif 000015
【図１３】
0004386954.tif 000016
【図１４】
0004386954.tif 000017
【図１５】
0004386954.tif 000018
【図１６】
0004386954.tif 000019
【図１７】
0004386954.tif 000020
【図１８】
0004386954.tif 000021
【図１９】
0004386954.tif 000022
【図２０】
0004386954.tif 000023
【図２１】
0004386954.tif 000024
【図２２】
0004386954.tif 000025
【図２３】
0004386954.tif 000026
【図２４】
0004386954.tif 000027
【図２５】
0004386954.tif 000028
【図２６】
0004386954.tif 000029
【図２７】
0004386954.tif 000030